(57)【要約】【課題】所定の荷重でタッセルが下方に抜け落ちる、安全性に優れた房掛を提供する。【解決手段】カーテンを束ねるタッセル３００を係止するための房掛２００が提供される。この房掛２００は、房掛２００の構造を変位させる変位機構を備える。そして、この変位機構は、タッセル３００を介して房掛２００にかかる荷重が所定値を超えると房掛２００の構造を変位させてタッセル３００の係止を解除し、かつ係止が解除された後に変位を元に戻して再度タッセル３００を房掛２００に係止可能に構成されている。【選択図】図１
2019069234.tif 000002
【特許請求の範囲】
【請求項１】
カーテンを束ねるタッセルを係止するための房掛であって、
房掛の構造を変位させる変位機構を備え、
前記変位機構は、前記タッセルを介して前記房掛にかかる荷重が所定値を超えると房掛の構造を変位させて前記タッセルの係止を解除し、かつ係止が解除された後に変位を元に戻して再度タッセルを房掛に係止可能に構成されている、房掛。
【請求項２】
前記房掛は、固定立設面に固定される台座と、フック部を有する回転フックとを備え、
前記変位機構は、前記タッセルを介して前記回転フックにかかる荷重が所定値を超えると前記回転フックが前記台座に対して相対回転して前記タッセルを脱落させるように構成されている、請求項１に記載の房掛。
【請求項３】
前記変位機構は、前記台座に設けられ且つ前記回転フックを挿込可能な開口孔と、前記台座の開口孔に設けられ且つ前記回転フックを回転可能に支持する回転機構とを有する、請求項２に記載の房掛。
【請求項４】
前記変位機構は、前記タッセルの脱落後に前記回転フックを逆方向に回転させるように前記回転フックを付勢する付勢手段をさらに備える、請求項２又は請求項３に記載の房掛。
【請求項５】
前記付勢手段は、前記回転フックに設けられた錘部であり、
前記回転フックは、前記フック部と前記錘部の間に設けられた回転軸を中心に回転するように構成される、請求項４に記載の房掛。
【請求項６】
前記付勢手段は、前記台座内に収容され、
前記回転フックの回転と前記付勢手段のスライド移動又は伸縮が、ラック・アンド・ピニオン機構によって相互変換される、請求項４に記載の房掛。
【請求項７】
前記変位機構は、前記フック部にかかる荷重が所定値以下である場合に前記回転フックの回転を規制する回転規制機構を備える、請求項２〜請求項６の何れか１つに記載の房掛。
【請求項８】
前記回転規制機構は、前記回転フックに設けられた回転フック側係止部と、前記フック部にかかる荷重が所定値以下である状態で前記回転フック側係止部に当接して前記回転フックの回転を規制する台座側係止部とを備える、請求項７に記載の房掛。
【請求項９】
前記回転フック側係止部は、前記台座側係止部に当接するヘッドを有する係止部材を備え、前記係止部材は、前記ヘッドの突出量が増大する方向に付勢されている、請求項８に記載の房掛。
【請求項１０】
前記回転フック側係止部は、前記台座側係止部に弾性的に係合するヘッドが一体に設けられている、請求項８に記載の房掛。
【請求項１１】
前記回転フックは、上方に延びる上側フック部と、下方の延びる下側フック部を備え、
前記変位機構は、前記タッセルを介して前記下側フック部にかかる荷重が所定値を超えると前記回転機構において前記回転フックを回転させて前記タッセルを脱落させるように構成されている、請求項２〜請求項１０の何れか１つに記載の房掛。
【請求項１２】
前記房掛は、前記タッセルの荷重が前記回転フックに加わる作用点が前記回転フックの回転軸の真上の位置よりも前記フック部側に寄った位置にあるように構成されている、請求項２〜請求項１１の何れか１つに記載の房掛。
【請求項１３】
前記台座と前記回転フックの少なくとも一方は、前記作用点に向かって低くなる傾斜面を有する、請求項１２に記載の房掛。
【請求項１４】
前記回転フックは、その回転可能範囲内での回転軌跡が前記固定立設面に接触しないように構成される、請求項２〜請求項１３の何れか１つに記載の房掛。
【請求項１５】
前記回転フックが所定の角度位置を超えて相対回転することを規制する解除角規制手段を備え、前記回転フックの重心は、前記解除角規制手段によって前記回転フックの相対回転が規制されている状態において、前記回転フックの復帰方向への回転トルクを前記回転フックに対して与える位置に設けられている、請求項２〜請求項１４の何れか１つに記載の房掛。
【請求項１６】
前記房掛は、固定立設面に固定される台座と、前記台座から突出する突出軸と、前記突出軸に支持され且つ前記タッセルを引っ掛けるための引掛部とを備え、
前記変位機構は、前記突出軸および前記引掛部を接続するヒンジ部と、前記突出軸および前記引掛部を前記ヒンジ部において所定の範囲の角度を形成するように保持する弾性手段とを有し、
前記変位機構は、前記タッセルを介して前記引掛部にかかる荷重が所定値を超えると前記ヒンジ部において前記角度が拡大して前記タッセルを脱落させるように構成されている、請求項１に記載の房掛。
【請求項１７】
前記変位機構は、前記台座および前記突出軸を接続するヒンジ部と、前記台座よび前記突出軸を前記ヒンジ部において所定の範囲の角度を形成するように保持する弾性手段とをさらに有する、請求項１６に記載の房掛。
【請求項１８】
前記弾性手段は、板バネまたはトーションバネを有する、請求項１６又は請求項１７に記載の房掛。
【請求項１９】
前記弾性手段は、エラストマーからなる弾性体を有する、請求項１６又は請求項１７に記載の房掛。
【請求項２０】
前記ヒンジ部は、前記ヒンジ部が接続する一方の部材に設けられている固定軸と、前記ヒンジ部が接続する他方の部材に設けられている軸受とを有し、
前記弾性手段は、前記軸受に設けられているスナップ部と、前記固定軸の外周面に軸に並行して設けられている凹凸条とを有する、請求項１６又は請求項１７に記載の房掛。
【請求項２１】
前記房掛は、固定立設面に固定される台座と、前記台座から突出する保持突出軸と、前記保持突出軸に回動可能に支持され且つ前記タッセルを引っ掛けるための引掛部とを備え、
前記変位機構は、前記引掛部および前記台座を隔離した状態で連結する突出軸と、前記引掛部と前記突出軸の間に設けられる連結部を有し、
前記変位機構は、前記タッセルを介して前記引掛部にかかる荷重が所定値を超えると、前記連結部での連結が解除されることによって前記保持突出軸と前記引掛部の間の角度が拡大して前記タッセルを脱落させるように構成されている、請求項１に記載の房掛。
【請求項２２】
前記突出軸は、前記保持突出軸に並行して設けられており、前記突出軸の一端は、前記引掛部にスナップ結合されており、前記突出軸の他端は、前記台座に固定されている、請求項２１に記載の房掛。
【請求項２３】
前記引掛部は、前記保持突出軸と前記引掛部の間の角度が拡大する方向に付勢されている、請求項２１又は請求項２２に記載の房掛。
【請求項２４】
前記突出軸と前記引掛部の間の連結を維持する連結維持部をさらに備え、
前記連結維持部は、前記タッセルにかかる荷重が所定値を超えると、前記突出軸と前記引掛部の間の連結を解除可能に構成されている、請求項２１〜請求項２３の何れか１つに記載の房掛。
【請求項２５】
前記房掛は、固定立設面に固定される台座と、前記台座に設けられている挟持部とを備え、
前記変位機構は、前記タッセルを介して前記挟持部にかかる荷重が所定値を超えると前記挟持部において隙間が拡大して前記タッセルを脱落させるように構成されている、請求項１に記載の房掛。
【請求項２６】
前記房掛は、前記挟持部において挟持され且つ前記タッセルが引っ掛けられる引掛部材をさらに備え、
前記変位機構は、前記タッセルを介して前記引掛部材にかかる荷重が所定値を超えると前記挟持部において隙間が拡大して前記引掛部材及び前記タッセルを脱落させるように構成されている、請求項２５に記載の房掛。
【請求項２７】
前記台座と前記引掛部材とを連結する連結部材をさらに備える、請求項２６に記載の房掛。
【請求項２８】
前記房掛は、固定立設面に固定される台座と、分離フックとを備え、
前記変位機構は、前記タッセルを介して前記分離フックにかかる荷重が所定値を超えると前記分離フックが前記台座から分離されて前記タッセルを脱落させるように構成されている、請求項１に記載の房掛。
【請求項２９】
前記台座は、本体部と、前記本体部から突出する突出軸を備え、
前記分離フックは、前記突出軸に係合可能であり、且つ前記分離フックに加わる荷重が所定を超えると前記分離フックと前記突出軸の間の係合が解除されて前記分離フックが前記突出軸の軸方向に沿って前記突出軸から分離される、請求項２８に記載の房掛。
【請求項３０】
前記房掛は、固定立設面に固定される台座と、前記台座に正対して前後方向に延びる回転軸芯を中心にして回転可能な回転フックを備え、
前記変位機構は、前記タッセルを介して前記回転フックにかかる荷重が所定値を超えると前記回転フックが前記回転軸芯を中心に回転して前記タッセルを脱落させるように構成されている、請求項１に記載の房掛。
【請求項３１】
前記房掛は、取付孔を有する回転フックを備え、
前記回転フックは、前記取付孔に挿通させたビスを固定立設面に一定トルクでねじ込むことによって前記固定立設面に回転可能に支持され、
前記変位機構は、前記タッセルを介して、前記ビスを緩める方向に前記回転フックにかかる荷重が所定値を超えると前記回転フックが前記ビスを中心に回転して前記タッセルを脱落させるように構成されている、請求項１に記載の房掛。
【請求項３２】
前記固定立設面に対する前記房掛の固定強度は、前記房掛の構造を変位させて前記タッセルを脱落させるのに必要な荷重よりも大きい、請求項２〜請求項３１の何れか１つに記載の房掛。
【発明の詳細な説明】
【技術分野】
【０００１】
本発明は、カーテンを束ねるタッセルを係止するための房掛に関する。
【背景技術】
【０００２】
特許文献１に示すように、カーテンを束ねるタッセルを引っ掛けるための房掛は固定的なものが一般的である。また、特許文献２に示すように、カーテンが強制的に引かれた際に確実に房掛を自己解除する構成がある。また、特許文献３に示すように、どのような角度にカーテンの房紐が引掛けられていても、カーテンが強制的に引かれた際に確実に房掛を自己解除する構成がある。また、特許文献４に示すように、カーテンがどの方向から引かれた場合でも確実に房掛を自己解除する構成がある。また、特許文献５示すように、タッセルの留め外しを簡単にできるようにしたクリップ式ふきかけがある。
【先行技術文献】
【特許文献】
【０００３】
【特許文献１】特開平１１−１６９２８４号公報
【特許文献２】特開２００７−２７５２０７号公報
【特許文献３】特開２００７−２５２４５９号公報
【特許文献４】特開２００８−３５９８０号公報
【特許文献５】特開２００８−２８４３２３号公報
【発明の概要】
【発明が解決しようとする課題】
【０００４】
しかしながら、上記文献記載の従来技術は、以下の点で改善の余地を有していた。
第一に、特許文献１に記載の房掛では、タッセルの保持部が固定的で強い力が掛かっても外れることがない。そのため、この房掛にタッセルを掛けた場合に、タッセルがループ状の構造を形成すると、そのループ状の構造に異物が引っ掛かって安全上問題となる可能性がある。
【０００５】
第二に、特許文献２〜３に記載の房掛では、カーテンが強制的に引かれた際にバネ式で房掛の引掛部材が回転してタッセルの一端は外れるが、回転規制があるために引掛部材の回転角度が小さいので、タッセルの他の一端の外れが防止される。また、特許文献４に記載の房掛では、カーテンがどの方向から引かれた場合でもバネまたはウレタンなどの弾性部材によって房掛の引掛部材が回転してタッセルの一端は外れるが、タッセルの他の一端は引掛部材の分岐した腕によってその腕の内側の空間に残ったままにされる。そのため、この房掛からタッセルの一端が外れたとしても、他の一端で房掛にぶら下がっているタッセルにループ状の構造が存在すると、そのループ状の構造に異物が引っ掛かって安全上問題となる可能性がある。
【０００６】
第三に、特許文献５に記載の房掛では、可動側クリップと非可動側クリップ兼基盤を挟持させるためにバネを用いるか、または弾力性を有する樹脂・ゴム・金属製の一体型クリップとしており、回転用樹脂ヒンジなどの構造は設けられていないため、クリップの回転角は小さく規制されている。そのため、この房掛のクリップにタッセルの両端に設けられたタッセルループを引っ掛けた場合には、タッセルに所定の荷重がかかったとしても、タッセルループが外れることはない。そのため、この房掛にタッセルを掛けた場合に、タッセルがループ状の構造を形成すると、そのループ状の構造に異物が引っ掛かって安全上問題となる可能性がある。
【０００７】
本発明は上記事情に鑑みてなされたものであり、所定の荷重でタッセルが下方に抜け落ちる、安全性に優れた房掛を提供することを目的とする。
【課題を解決するための手段】
【０００８】
本発明によれば、カーテンを束ねるタッセルを係止するための房掛が提供される。この房掛は、房掛の構造を変位させる変位機構を備える。そして、この変位機構は、タッセルを介して房掛にかかる荷重が所定値を超えると房掛の構造を変位させてタッセルの係止を解除し、かつ係止が解除された後に変位を元に戻して再度タッセルを房掛に係止可能に構成されている。
【０００９】
この構成によれば、タッセルを介して房掛にかかる荷重が所定値を超えると房掛の構造を変位させてタッセルの係止を解除するため、所定の荷重でタッセルが下方に抜け落ちる、安全性に優れた房掛が得られる。
【００１０】
以下、本発明の種々の実施形態を例示する。以下に示す実施形態は互いに組み合わせ可能である。
好ましくは、前記房掛は、固定立設面に固定される台座と、フック部を有する回転フックとを備え、前記変位機構は、前記タッセルを介して前記回転フックにかかる荷重が所定値を超えると前記回転フックが前記台座に対して相対回転して前記タッセルを脱落させるように構成されている。
好ましくは、前記変位機構は、前記台座に設けられ且つ前記回転フックを挿込可能な開口孔と、前記台座の開口孔に設けられ且つ前記回転フックを回転可能に支持する回転機構とを有する。
好ましくは、前記変位機構は、前記タッセルの脱落後に前記回転フックを逆方向に回転させるように前記回転フックを付勢する付勢手段をさらに備える。
好ましくは、前記付勢手段は、前記回転フックに設けられた錘部であり、前記回転フックは、前記フック部と前記錘部の間に設けられた回転軸を中心に回転するように構成される。
好ましくは、前記付勢手段は、前記台座内に収容され、前記回転フックの回転と前記付勢手段のスライド移動又は伸縮が、ラック・アンド・ピニオン機構によって相互変換される。
好ましくは、前記変位機構は、前記フック部にかかる荷重が所定値以下である場合に前記回転フックの回転を規制する回転規制機構を備える。
好ましくは、前記回転規制機構は、前記回転フックに設けられた回転フック側係止部と、前記フック部にかかる荷重が所定値以下である状態で前記回転フック側係止部に当接して前記回転フックの回転を規制する台座側係止部とを備える。
好ましくは、前記回転フック側係止部は、前記台座側係止部に当接するヘッドを有する係止部材を備え、前記係止部材は、前記ヘッドの突出量が増大する方向に付勢されている。
好ましくは、前記回転フック側係止部は、前記台座側係止部に弾性的に係合するヘッドが一体に設けられている。
好ましくは、前記回転フックは、上方に延びる上側フック部と、下方の延びる下側フック部を備え、前記変位機構は、前記タッセルを介して前記下側フック部にかかる荷重が所定値を超えると前記回転機構において前記回転フックを回転させて前記タッセルを脱落させるように構成されている。
好ましくは、前記房掛は、固定立設面に固定される台座と、前記台座から突出する突出軸と、前記突出軸に支持され且つ前記タッセルを引っ掛けるための引掛部とを備え、前記変位機構は、前記突出軸および前記引掛部を接続するヒンジ部と、前記突出軸および前記引掛部を前記ヒンジ部において所定の範囲の角度を形成するように保持する弾性手段とを有し、前記変位機構は、前記タッセルを介して前記引掛部にかかる荷重が所定値を超えると前記ヒンジ部において前記角度が拡大して前記タッセルを脱落させるように構成されている。
好ましくは、前記変位機構は、前記台座および前記突出軸を接続するヒンジ部と、前記台座よび前記突出軸を前記ヒンジ部において所定の範囲の角度を形成するように保持する弾性手段とをさらに有する。
好ましくは、前記弾性手段は、板バネまたはトーションバネを有する。
好ましくは、前記弾性手段は、エラストマーからなる弾性体を有する。
好ましくは、前記ヒンジ部は、前記ヒンジ部が接続する一方の部材に設けられている固定軸と、前記ヒンジ部が接続する他方の部材に設けられている軸受とを有し、前記弾性手段は、前記軸受に設けられているスナップ部と、前記固定軸の外周面に軸に並行して設けられている凹凸条とを有する。
好ましくは、前記房掛は、固定立設面に固定される台座と、前記台座から突出する保持突出軸と、前記保持突出軸に回動可能に支持され且つ前記タッセルを引っ掛けるための引掛部とを備え、前記変位機構は、前記引掛部および前記台座を隔離した状態で連結する突出軸と、前記引掛部と前記突出軸の間に設けられる連結部を有し、前記変位機構は、前記タッセルを介して前記引掛部にかかる荷重が所定値を超えると、前記連結部での連結が解除されることによって前記保持突出軸と前記引掛部の間の角度が拡大して前記タッセルを脱落させるように構成されている。
好ましくは、前記房掛は、前記タッセルの荷重が前記回転フックに加わる作用点が前記回転フックの回転軸の真上の位置よりも前記フック部に寄った位置にあるように構成されている。
好ましくは、前記台座と前記回転フックの少なくとも一方は、前記作用点に向かって低くなる傾斜面を有する。
好ましくは、前記回転フックは、その回転可能範囲内での回転軌跡が前記固定立設面に接触しないように構成される。
好ましくは、前記回転フックが所定の角度位置を超えて相対回転することを規制する解除角規制手段を備え、前記回転フックの重心は、前記解除角規制手段によって前記回転フックの相対回転が規制されている状態において、前記回転フックの復帰方向への回転トルクを前記回転フックに対して与える位置に設けられている。
好ましくは、前記突出軸は、前記保持突出軸に並行して設けられており、前記突出軸の一端は、前記引掛部にスナップ結合されており、前記突出軸の他端は、前記台座に固定されている。
好ましくは、前記引掛部は、前記保持突出軸と前記引掛部の間の角度が拡大する方向に付勢されている。
好ましくは、前記突出軸と前記引掛部の間の連結を維持する連結維持部をさらに備え、前記連結維持部は、前記タッセルにかかる荷重が所定値を超えると、前記突出軸と前記引掛部の間の連結を解除可能に構成されている。
好ましくは、前記房掛は、固定立設面に固定される台座と、前記台座に設けられている挟持部とを備え、前記変位機構は、前記タッセルを介して前記挟持部にかかる荷重が所定値を超えると前記挟持部において隙間が拡大して前記タッセルを脱落させるように構成されている。
好ましくは、前記房掛は、前記挟持部において挟持され且つ前記タッセルが引っ掛けられる引掛部材をさらに備え、前記変位機構は、前記タッセルを介して前記引掛部材にかかる荷重が所定値を超えると前記挟持部において隙間が拡大して前記引掛部材及び前記タッセルを脱落させるように構成されている。
好ましくは、前記台座と前記引掛部材とを連結する連結部材をさらに備える。
好ましくは、前記房掛は、固定立設面に固定される台座と、分離フックとを備え、前記変位機構は、前記タッセルを介して前記分離フックにかかる荷重が所定値を超えると前記分離フックが前記台座から分離されて前記タッセルを脱落させるように構成されている。
好ましくは、前記台座は、本体部と、前記本体部から突出する突出軸を備え、前記分離フックは、前記突出軸に係合可能であり、且つ前記分離フックに加わる荷重が所定を超えると前記分離フックと前記突出軸の間の係合が解除されて前記分離フックが前記突出軸の軸方向に沿って前記突出軸から分離される。
好ましくは、前記房掛は、固定立設面に固定される台座と、前記台座に正対して前後方向に延びる回転軸芯を中心にして回転可能な回転フックを備え、前記変位機構は、前記タッセルを介して前記回転フックにかかる荷重が所定値を超えると前記回転フックが前記回転軸芯を中心に回転して前記タッセルを脱落させるように構成されている。
好ましくは、前記房掛は、取付孔を有する回転フックを備え、前記回転フックは、前記取付孔に挿通させたビスを固定立設面に一定トルクでねじ込むことによって前記固定立設面に回転可能に支持され、前記変位機構は、前記タッセルを介して、前記ビスを緩める方向に前記回転フックにかかる荷重が所定値を超えると前記回転フックが前記ビスを中心に回転して前記タッセルを脱落させるように構成されている。
好ましくは、前記固定立設面に対する前記房掛の固定強度は、前記房掛の構造を変位させて前記タッセルを脱落させるのに必要な荷重よりも大きい。
【発明の効果】
【００１１】
本発明によれば、所定の荷重でタッセルが下方に抜け落ちる、安全性に優れた房掛が得られる
【図面の簡単な説明】
【００１２】
【図１】実施形態１に係る房掛を既存のタッセルと一緒に使う場合の使用態様について説明するための図面である。
【図２】既存のタッセルの構造について説明するための構造図である。
【図３】実施形態１に係る房掛のバランス型の変位機構について説明するための構造図である。
【図４】実施形態１に係る房掛のバランス型の変位機構の変形例１について説明するための構造図である。
【図５】実施形態２に係る房掛のヒンジ式の変位機構について説明するための構造図である。
【図６】実施形態２に係る房掛を既存のタッセルと一緒に使う場合の使用態様について説明するための図面である。
【図７】実施形態２に係る房掛のヒンジ式の変位機構の変形例１について説明するための構造図である。
【図８】実施形態２に係る房掛のヒンジ式の変位機構の変形例１について説明するための構造図である。
【図９】実施形態２に係る房掛のヒンジ式の変位機構の変形例２について説明するための構造図である。
【図１０】実施形態２に係る房掛のヒンジ式の変位機構の変形例３について説明するための構造図である。
【図１１】実施形態２に係る房掛のヒンジ式の変位機構の変形例４について説明するための構造図である。
【図１２−１】実施形態３に係る房掛に所定の引張力により分離可能な分離部を突出軸および引掛部の間に設ける構成について説明するための図面である。
【図１２−２】実施形態３に係る房掛に所定の引張力により分離可能な分離部を突出軸および引掛部の間に設ける構成について説明するための図面である。
【図１２−３】実施形態３に係る房掛に所定の引張力により分離可能な分離部を突出軸および引掛部の間に設ける構成について説明するための図面である。
【図１３】実施形態４に係る房掛のすり抜け式の変位機構について説明するための構造図である。
【図１４】実施形態４に係る房掛のすり抜け式の変位機構の変形例１について説明するための構造図である。
【図１５】実施形態４に係る房掛のすり抜け式の変位機構の変形例の使用状態について説明するための図面である。
【図１６】実施形態１の変形例２の房掛の構成を示す断面図であり、（ａ）は回転フック２０３に閾値を超える荷重が加わる前、（ｂ）は回転フック２０３に閾値を超える荷重が加わった後、（ｃ）は回転フック２０３への荷重が取り除かれた後の状態を示す。
【図１７】実施形態１の変形例２の台座２０２の構成を示し、（ａ）は背面図、（ｂ）は（ａ）中のＡ−Ａ断面図、（ｃ）は正面図、（ｄ）は底面図である。
【図１８】実施形態１の変形例２の回転フック２０３の構成を示し、（ａ）は背面図、（ｂ）は左側面図、（ｃ）は正面図である。
【図１９】実施形態１の変形例２において、台座２０２に回転フック２０３を取り付けた状態の背面図である。
【図２０】実施形態１の変形例３の房掛の構成を示す断面図であり、（ａ）は回転フック２０３に閾値を超える荷重が加わる前、（ｂ）は回転フック２０３に閾値を超える荷重が加わった後の状態を示す。
【図２１】実施形態１の変形例４の房掛の構成を示す斜視図であり、（ａ）は回転フック２０３に閾値を超える荷重が加わる前、（ｂ）は回転フック２０３に閾値を超える荷重が加わった後の状態を示す。
【図２２】（ａ）〜（ｂ）は、実施形態１の変形例４において、台座２０２から回転フック２０３を外した状態を示す斜視図である。
【図２３】（ａ）は、実施形態１の変形例４において、回転フック２０３から係止部材３１ａ，３１ｂ及びコイルスプリング３５を取り外した状態を示す斜視図であり、（ｂ）は、実施形態１の変形例４の房掛の背面図である。
【図２４】実施形態１の変形例４の係止部材３１ａ，３１ｂの斜視図である。
【図２５】実施形態１の変形例５の房掛の構成を示す斜視図であり、（ａ）は回転フック２０３に閾値を超える荷重が加わる前、（ｂ）は回転フック２０３に閾値を超える荷重が加わった後の状態を示す。
【図２６】実施形態１の変形例５の房掛の回転フック２０３に閾値を超える荷重が加わる前の状態を示し、（ａ）は斜視図、（ｂ）は斜視断面図、（ｃ）は回転軸２２７近傍の拡大図である。
【図２７】実施形態１の変形例５の房掛の回転フック２０３に閾値を超える荷重が加わった後の状態を示し、（ａ）は斜視図、（ｂ）は斜視断面図、（ｃ）は回転軸２２７近傍の拡大図である。
【図２８】実施形態５の房掛の構成を示す斜視図であり、（ａ）は分離フック２０１に閾値を超える荷重が加わる前、（ｂ）は分離フック２０１に閾値を超える荷重が加わった後の状態を示す。
【図２９】実施形態５の分離フック２０１の分解斜視図である。
【図３０】実施形態５の外筒付きフック２１６の構成を示し、（ａ）及び（ｃ）は斜視図であり、（ｂ）は断面図である。
【図３１】実施形態５の分離フック２０１の断面図であり、（ａ）はコイルスプリング７７が伸びた状態、（ｂ）はコイルスプリング７７が縮められた状態を示す。
【図３２】実施形態５の房掛の構成を示す断面図であり、分離フック２０１に閾値を超える荷重が加わる前、（ｂ）は分離フック２０１に閾値を超える荷重が加わった後の状態を示す。
【図３３】実施形態５において、分離フック２０１が台座２０２から分離された後の状態を示す。
【図３４】実施形態１の変形例８を示す図である。回転フック２０３に閾値を超える荷重が加わる前であり、（ａ）は斜視図、（ｂ）は背面図、（ｃ）は側面図である。
【図３５】実施形態１の変形例８を示す図である。回転フック２０３に閾値を超える荷重が加わった後であり、（ａ）（ｂ）は斜視図、（ｃ）は側面図、（ｄ）は正面図である。
【図３６】実施形態３の変形例１を示す側面図（一部断面図）である。（ａ）はトリガー（２０４）に閾値を超える荷重が加わる前であり、（ｂ）はトリガー（２０４）に閾値を超える荷重が加わった後である。
【図３７】実施形態６を示し、（ａ）は平面図、（ｂ）は台座２０２の内部構造を示す平面図（一部断面図）、（ｃ）は左側面図、（ｄ）は正面図、（ｅ）は台座２０２の内部構造を示す正面図（一部断面図）である。
【図３８】実施形態６の房掛を示す図であり、（ａ）は回転フック２０３に閾値を超える荷重が加わる前であり、（ｂ）（ｃ）は回転フック２０３に閾値を超える荷重が加わわった後の状態を示す。
【図３９】実施形態７を示す図である。（ａ）は平面図、（ｂ）は、回転フック２０３及びスペーサー４０２を固定立設面４００に固定する前の状態を示すＡ−Ａ断面図、（ｃ）は回転フック２０３に閾値を超える荷重が加わる前の正面図である。（ｄ）回転フック２０３に閾値を超える荷重が加わった後の正面図である。
【図４０】実施形態３の変形例２を示す側面図（一部断面図）である。（ａ）は引掛部２０６の背面図、（ｂ）は連結維持部２０４ａに閾値を超える荷重が加わる前であり、（ｃ）は連結維持部２０４ａにタッセルコードが当接しスナップ部の変形を許容し始めた状態である。
【図４１】実施形態４の変形例１を示す。（ａ）は１本のタッセルの両端のタッセルコードを引っ掛けている状態、（ｂ）はタッセルコード１本を掛けている状態であり閾値を超える荷重が加わる前であり、（ｃ）はタッセルコードに閾値を超える荷重が加わった後の状態を示す。
【図４２】実施形態５の変形例１を示す。（ａ）はタッセルコードを掛けている状態の側面図、（ｂ）はタッセルコードからの房掛への閾値を超える荷重が加わる前であり、（ｃ）は房掛に閾値を超える荷重が加わった後の状態を示す。
【図４３】実施形態５の変形例２を示す。（ａ）は側面図及び１つの突出軸２０４の斜視図、（ｂ）はタッセルコードからの房掛への閾値を超える荷重が加わる前であり、（ｃ）は房掛に閾値を超える荷重が加わった後の状態を示す。
【図４４】実施形態５の変形例２であり、（ａ）は房掛に閾値を超える荷重が加わった後の引掛部２０６が保持されている状態を示す、（ｂ）は復帰方法を示す図である。
【図４５】実施形態５の変形例３を示す。（ａ）はタッセルコードからの房掛への閾値を超える荷重が加わる前であり、（ｂ）は房掛に閾値を超える荷重が加わった後の状態を示す。
【図４６】実施形態１の変形例６を示す。（ａ）（ｂ）（ｃ）はタッセルコードからの房掛への閾値を超える荷重が加わる前であり、（ｅ）は房掛に閾値を超える荷重が加わった後の状態を示す。（ｄ）は台座２０２の正面図である。
【図４７】実施形態２の変形例５を示す。（ａ）（ｂ）はタッセルコードからの房掛への閾値を超える荷重が加わる前であり、（ｃ）（ｄ）は房掛に閾値を超える荷重が加わった後の状態を示す。
【図４８】実施形態２の変形例６を示す。（ａ）（ｂ）（ｃ）はタッセルコードからの房掛への閾値を超える荷重が加わる前であり、（ｄ）は房掛に閾値を超える荷重が加わった後の状態を示す。
【図４９】実施形態１の変形例７を示す。（ａ）（ｂ）（ｃ）（ｄ）はタッセルコードからの房掛への閾値を超える荷重が加わる前であり、（ｅ）（ｆ）は房掛に閾値を超える荷重が加わった後の状態を示す。（ｄ）は側面図、（ｃ）は背面図、（ｂ）は台座２０２の正面図である。
【図５０】実施形態１の変形例９の房掛２００を示す斜視図であり、（ｂ）は（ａ）の分解図である。
【図５１】実施形態１の変形例９の房掛２００を別の角度から見た斜視図であり、（ｂ）は（ａ）の分解図である。
【図５２】実施形態１の変形例９の房掛２００を背面側から見た斜視図であり、（ｂ）は（ａ）の分解図である。
【図５３】実施形態１の変形例９の房掛２００を底面側から見た斜視図であり、（ｂ）は（ａ）の分解図である。
【図５４】実施形態１の変形例９の房掛２００において、回転フック２０３を台座２０２に係合させる方法を説明するための斜視図である。
【図５５】実施形態１の変形例９の房掛２００の使用状態を示す断面図であり、（ａ）は通常使用時の状態、（ｂ）は、タッセルコード３１０ｂが台座２０２の受部２３７ａ上に載せられた状態、（ｃ）は回転フック２０３に閾値を超える荷重が加わった後の状態を示す。
【図５６】実施形態１の変形例１０の房掛２００を示す斜視図である。
【図５７】実施形態１の変形例１１の房掛２００を示す斜視図であり、（ｂ）は（ａ）の分解図である。
【図５８】（ａ）は、実施形態１の変形例１１の房掛２００を示す斜視図であり、（ｂ）〜（ｃ）は、この変形例の台座２０２を背面側から見た斜視図である。
【図５９】実施形態１の変形例１１の房掛２００の使用状態を示す断面図であり、（ａ）は通常使用時の状態、（ｂ）は回転フック２０３に閾値を超える荷重が加わった後の状態を示す。
【図６０】実施形態１の変形例１１の房掛２００の回転フック２０３の回転軌跡を示す断面図である。
【図６１】実施形態１の変形例１２の房掛２００を示す斜視図であり、（ｂ）は（ａ）の分解図である。
【図６２】実施形態１の変形例１２の房掛２００を別の角度から見た斜視図であり、（ｂ）は（ａ）の分解図である。
【図６３】（ａ）は、実施形態１の変形例１２の房掛２００の台座２０２を背面側から見た斜視図であり、（ｂ）は、細径のタッセルコードが房掛２００に引っ掛けられている状態を示す側面図である。
【図６４】（ａ）〜（ｂ）は、実施形態１の変形例１３の房掛２００を示す斜視図である。
【図６５】（ａ）〜（ｂ）は、図６４の房掛２００を背面側から見た斜視図であり、（ｃ）は、この房掛２００の台座２０２を背面側からみた斜視図である。
【図６６】図６４の房掛２００の分解斜視図である。
【図６７】実施形態１の変形例１３の房掛２００の使用状態を示す断面図であり、（ａ）は通常使用時の状態、（ｂ）は、タッセルコード３１０ｂが台座２０２の受部２３７ａ上に載せられた状態、（ｃ）は回転フック２０３に閾値を超える荷重が加わった後の状態を示す。
【図６８】実施形態１の変形例１４の房掛２００を示す斜視図である。
【図６９】実施形態１の変形例１２Ａの房掛２００の通常使用時の状態を示し、（ａ）は正面図、（ｂ）は右側面図、（ｃ）はＡ−Ａ断面図である。
【図７０】実施形態１の変形例１２Ａの房掛２００の回転フックに閾値を超える荷重が加わった後の状態を示し、（ａ）は正面図、（ｂ）はＡ−Ａ断面図である。
【発明を実施するための形態】
【００１３】
以下、本発明の実施の形態について、図面を用いて説明する。尚、すべての図面において、同様な構成要素には同様の符号を付し、適宜説明を省略する。
【００１４】
＜実施形態１：回転フック式セーフティ房掛＞
図１は、本実施形態に係る房掛２００を既存のタッセル３００と一緒に使う場合の使用態様について説明するための図面である。図１（ａ）に示すように、この房掛２００は、カーテン（不図示）を束ねるタッセル３００を係止するための房掛２００である。また、この房掛２００は壁などの固定立設面４００に固定されている。また、この房掛２００は、固定立設面４００に固定される台座２０２と、回転フック２０３と、を備えている。
【００１５】
また、この房掛２００には、カーテン（不図示）を束ねるためのタッセル３００が係止されている。このタッセル３００は、一方のループ状のタッセルコード３１０ｂが回転フック２０３に引っ掛かっている。そして、タッセル３００自体が全体として２つのループ状の構造をとって、房掛２００に係止している。
【００１６】
この状態で、例えばタッセル３００に居住者等が引っ掛かった場合には、図１（ａ）に示すように、タッセル３００の一方の端部に設けられているタッセルコード３１０ｂに引張力５００が加わる。その結果、タッセルコード３１０ｂを介して回転フック２０３にかかる荷重が所定値（例えば、２ｋｇｆ）を超えると、図１（ｂ）に示すように、房掛２００の構造が変位（変位の方向７０２）してタッセル３００の係止が解除（係止の解除の方向７０４）されてタッセル３００が床に向かって脱落する。
【００１７】
図２は、既存のタッセルの構造について説明するための構造図である。タッセル３００の両端部には環状部（ループ状のタッセルコード３１０ａ、３１０ｂ）が設けられている。そして、タッセル３００の中央部にはタッセルコードの３１０ａ、３１０ｂの結び目３０４が設けられている。また、タッセル３００の中央部の結び目３０４の下には垂れ飾り３０５が設けられている。このタッセル３００を用いてカーテン（不図示）を束ねて止めるためには、他方のタッセルコード３１０ａも房掛２００の回転フック２０３に引っ掛ける。そうすることによって、タッセル３００全体で一つのループ状の構造を形成してカーテン（不図示）を房掛２００に止めることができる。
【００１８】
図３は、本実施形態に係る房掛２００のカウンターバランス式の変位機構８００について説明するための構造図である。この房掛２００は、房掛２００の構造を変位させるバランス型の変位機構８００を備える。この変位機構８００は、タッセル３００を介して房掛２００にかかる荷重が所定値（例えば、２ｋｇｆ）を超えると房掛２００の構造を変位させてタッセル３００の係止を解除するように構成されている。また、この変位機構８００は、係止が解除された後に変位を元に戻して再度タッセル３００を房掛２００に係止可能に構成されている。
【００１９】
この変位機構８００は、図３（ａ）の斜視図、図３（ｂ）の側面図、図３（ｃ）の背面図に示すように、回転フック２０３の一端に設けられているフック部２１３と、回転フック２０３の他端に設けられている付勢手段（錘部２０９）と、を備える。また、この変位機構８００は、台座２０２に設けられており、回転フック２０３を挿込可能な開口孔２０７を有する。この開口孔２０７の幅は、回転フック２０３の幅よりも大きい。また、この変位機構８００は、台座２０２の開口孔２０７に設けられており、フック部２１３および付勢手段（錘部２０９）の間で回転フック２０３を回転可能に支持する回転機構２１５を有する。
【００２０】
この回転機構２１５は、図３（ｄ）の台座の背面図、図３（ｅ）の回転フックの側面図、図３（ｆ）の回転フックの背面図に示すように、台座２０２の開口孔２０７に設けられている軸受２１７ａ、２１７ｂと、回転フック２０３のフック部２１３および付勢手段（錘部２０９）の間に設けられている回転軸２２７ａ、２２７ｂと、を有する。
【００２１】
これらの軸受２１７ａ、２１７ｂは、台座２０２の側壁に対向するように設けられている。また、台座２０２に回転フック２０３を取付る際には、回転フック２０３を台座２０２の背面側から回転フック２０３の軸を開口孔２０７に垂直にした状態で回転フック２０３の先端の錘部２０９を挿入し、回転フック２０３の軸を９０度回転させて、回転軸２２７ａ、２２７ｂを軸受２１７ａ、２１７ｂに係合させる。
【００２２】
この房掛２００は、上記のような構成を有しているため、図１に示すように、通常は錘部２０９によりフック部２１３が立ち上がった状態を維持し、タッセル３００を介してフック部２１３にかかる下向きの荷重が閾値（例えば、２ｋｇｆ）を越えて作用した場合に、回転機構２１５において回転タッセル２０３を回転させてフック部２１３が下向きに変移し、タッセル３００がフック部２１３から外れて床に向かって脱落する。そのため、このようにシンプルな構成によって、所定の荷重でタッセル３００が下方に抜け落ちる、非常時の安全性に優れた房掛２００が得られる。
【００２３】
また、この房掛２００の変位機構８００は、タッセル３００の係止が解除された後に自動的に変位を元に戻して再度タッセル３００を房掛２００に係止可能である。そのため、この房掛２００は、ただ単に非常時の安全性に優れているだけではなくて、非常時のトラブルを未然に防いだ後にも、元の状態に戻して何度も繰り返し使うことができる利点も有する。
【００２４】
＜実施形態１の変形例１：突起（かかり）２３９ａの設置＞
図４は、実施形態に係る房掛のバランス型の変位機構の変形例１について説明するための構造図である。この変形例１では、図４（ａ）に示すように、台座２０２のうちタッセルコード３１０ｂに接触する受部２３７ａにタッセルコード３１０ｂの断面外周に沿う形のＲが形成されており、回転フック２０３のフック部２１３の受け部２３７ｂにもタッセルコード３１０ｂの断面外周に沿う形のＲが形成されている。従って、タッセルコード３１０ｂを垂下した状態で略半分の荷重を受部２３７ａが受けることが可能である。
【００２５】
また、図４（ｂ）に示すように、受部２３７ａのＲの下端にはさらに突起（かかり）２３９ａを設けてもよい。このような形状とすればさらにタッセルコード３１０ｂが引っ掛かるようになる。通常時にタッセル３００の荷重を台座２０２の受部２３７ａおよび突起（かかり）２３９ａで半分以上受けることができる。一方、図４（ｃ）に示すように、錘部２０９の下部には突起２３９ｂが設けられ、台座２０２に設けられた開口孔２０７の下端に錘部２０９の突起２３９ｂが引っ掛かるようになっている。
【００２６】
この変形例は、タッセルコード３１０ｂの受部２３７ａ、２３７ｂでの保持状態を維持するための改良構造となっている。すなわち、タッセル３００を介して房掛２００に加わる荷重が所定値（例えば、２ｋｇｆ）を超えるまでは、変位機構８００が回転フック２０３を回転させることなくタッセル３００の係止をしっかりと維持する構成となっている。
【００２７】
＜実施形態１の変形例２：台座のベース部に突起を設置＞
次に、図１６〜図１９を用いて、実施形態１の変形例２について説明する。この変形例２は、上記の実施形態１の変形例１に類似した構成を有しており、以下、相違点を中心に説明を進める。
【００２８】
変形例２では、房掛２００は、台座２０２と回転フック２０３とで構成されており、回転フック２０３の両側面に設けた回転軸２２７ａ、２２７ｂが、台座２０２の側壁に対向するように設けた一対の軸受２１７ａ、２１７ｂによって支持されることによって、回転フック２０３が台座２０２に回転可能に支持されている。台座２０２は、ビス（不図示）を取付孔２１９ａ、２１９ｂに挿通させた後に固定立設面４００にねじ込む等の方法によって固定立設面４００に固定される。
【００２９】
台座２０２の底壁１７には、突起１３が設けられており、回転フック２０３の錘部２０９の下部に設けた突起２３９ｂが突起１３と当接することによって、フック部２１３にかかる下向きの荷重が閾値以下である場合に、回転フック２０３が回転することが妨げられる。一方、図１６（ａ）に示すようにタッセルコード３１０ｂに矢印Ｘ方向の力が加わると、タッセルコード３１０ｂがフック部２１３に加える分力によって、回転軸２２７ａ、２２７ｂを回転中心とするトルクがフック部２１３に加えられ、これによって、矢印Ｙ１方向のトルクが錘部２０９に加わる。このトルクによって突起２３９ｂと突起１３の間の係合が解除されると、図１６（ｂ）に示すように回転フック２０３が回転して、タッセルコード３１０ｂがフック部２１３から外れる。なお、本実施形態では、底壁１７には突起１３の両側にスリット１５を設け、これによって突起１３の下方向移動に必要な力を低減し、回転フック２０３の回転開始に必要な荷重の閾値を下げている。この閾値は、底壁１７の肉厚を変えたり、突起１３，２３９ｂの形状を変えたりすることによっても適宜設定することができ、スリット１５は必ずしも必要ではない。
【００３０】
図１６（ｂ）の状態からタッセルコード３１０ｂが外れるとフック部２１３に加わっていた荷重がなくなり、錘部２０９の自重によって回転フック２０３は矢印Ｙ２方向に回転し、図１６（ｃ）に示すように突起２３９ｂが突起１３に当接した状態で回転が止まる。この状態から、指などで図１６（ｃ）の矢印Ｚ方向にフック部２１３を押圧すると、突起２３９ｂが突起１３を乗り越えて、図１６（ａ）の状態に復帰する。
【００３１】
＜実施形態１の変形例３：ラック・アンド・ピニオン機構＞
次に、図２０を用いて、実施形態１の変形例３について説明する。この変形例３は、上記の実施形態１に類似した構成を有しているが、ラック・アンド・ピニオン機構によって錘部２０９を上下させる点が主な相違点であり、以下、相違点を中心に説明を進める。
【００３２】
変形例３では、房掛２００は、台座２０２と回転フック２０３とで構成されている。台座２０２には、ピニオンと呼ばれる円形歯車２１が回転可能に支持され、ラックと呼ばれる平板歯２３がスライド可能に支持されており、円形歯車２１と平板歯２３は互いに噛み合っており、円形歯車２１の回転が平板歯２３のスライド移動に変換され、平板歯２３のスライド移動が円形歯車２１の回転に変換されるようになっている。円形歯車２１の回転軸２２７には、回転フック２０３が取着されており、円形歯車２１は、回転フック２０３と一体回転する。
【００３３】
図２０（ａ）に示すようにタッセルコード３１０ｂに矢印Ｘ方向の力が加わると、タッセルコード３１０ｂが受部２３７ａの斜面に沿ってフック部２１３に向かって移動してフック部２１３に当接することによって、回転軸２２７を回転中心とするトルクがフック部２１３に加えられる。このトルクによって円形歯車２１が矢印Ｙ１方向に回転して、平板歯２３が錘部２０９と共に上昇して、図２０（ｂ）の状態になる。
【００３４】
図２０（ｂ）の状態からタッセルコード３１０ｂが外れるとフック部２１３に加わっていた荷重がなくなり、錘部２０９の自重によって平板歯２３が下降することによって円形歯車２１が矢印Ｙ２方向に回転し、図２０（ａ）の状態に復帰する。
【００３５】
なお、台座２０２内に錘部２０９を設ける代わりに、コイルスプリングなどの別の付勢手段を設けてもよい
【００３６】
＜実施形態１の変形例４：係止部材を用いた変位機構＞
次に、図２１〜図２４を用いて、実施形態１の変形例４について説明する。この変形例４は、上記の実施形態１に類似した構成を有しているが、係止部材を用いた回転規制機構を備えている点が主な相違点であり、以下、相違点を中心に説明を進める。
【００３７】
変形例４では、図２１に示すように、房掛２００は、台座２０２と回転フック２０３とで構成されている。図２２〜図２３に示すように、回転フック２０３の両側壁３２ａ，３２ｂに回転軸２２７ａ、２２７ｂが設けられており、回転軸２２７ａ、２２７ｂが、台座２０２の側壁に対向するように設けた一対の軸受２１７ａ、２１７ｂによって支持されることによって、回転フック２０３が台座２０２に回転可能に支持される。図２１（ａ）に示す通常使用時の状態では、台座２０２と受部２３７ｂとの間に隙間がないように設計されており、タッセルコード３１０ｂが引っかからないようにしている。
【００３８】
また、図２３（ａ）に示すように、回転フック２０３の両側壁３２ａ，３２ｂには貫通穴３７ａ，３７ｂが設けられており、貫通穴３７ａ，３７ｂには係止部材３１ａ，３１ｂのヘッド４５ａ，４５ｂが挿通されている。図２４に示すように、係止部材３１ａ，３１ｂは、ベース４１ａ，４１ｂと、ベース４１ａ，４１ｂから突出し且つ先端が略半球形状であるヘッド４５ａ，４５ｂを備える。ベース４１ａ，４１ｂは筒状となっており、係止部材３１ａ，３１ｂの間に配置されるコイルスプリング３５の両端をベース４１ａ，４１ｂ内に保持可能になっている。コイルスプリング３５は、図２３（ｂ）に示すように、係止部材３１ａ，３１ｂのヘッド４５ａ，４５ｂを貫通穴３７ａ，３７ｂに挿通させた状態で、係止部材３１ａ，３１ｂを側壁３２ａ，３２ｂに対して押し付けるように係止部材３１ａ，３１ｂを付勢する。ベース４１ａ，４１ｂは、貫通穴３７ａ，３７ｂよりもサイズが大きいので、ベース４１ａ，４１ｂが側壁３２ａ，３２ｂに押し付けられることによって係止部材３１ａ，３１ｂが回転フック２０３に保持される。
【００３９】
係止部材３１ａ，３１ｂのヘッド４５ａ，４５ｂは、図２３（ｂ）に示すように係合凹部３３ａ，３３ｂ内に収容されており、回転フック２０３に荷重が加わらないときに回転フック２０３が回転することを阻止する。
【００４０】
図２１（ａ）に示すようにタッセルコード３１０ｂに矢印Ｘ方向の力が加わると、タッセルコード３１０ｂが受部２３７ｂの斜面に沿ってフック部２１３に向かって移動して（ただし、この移動を伴うことは希である。普通はタッセル３００の自重により２３７ｂとフック部２１３との谷にタッセルコード３１０ｂが落ち込んで位置するが便宜上上記のように説明を進める。）フック部２１３に当接することによって（但し、普通は直ぐにフック部２１３に荷重が掛かる。）、回転軸２２７ａ、２２７ｂを回転中心とするトルクがフック部２１３に加えられる。係止部材３１ａ，３１ｂのヘッド４５ａ，４５ｂの先端は略半球状であるので、ヘッド４５ａ，４５ｂが係合凹部３３ａ，３３ｂの内壁面に当接することによって係止部材３１ａ，３１ｂにはコイルスプリング３５を縮める方向（図２３（ｂ）の矢印Ｚ方向）の力が加わる。このため、フック部２１３に加わるトルクが閾値を超えると、ヘッド４５ａ，４５ｂと係合凹部３３ａ，３３ｂの間の係合が解除されて、図２１（ｂ）に示すように回転フック２０３が図２１（ａ）に示す矢印Ｙ１方向に回転して、タッセルコード３１０ｂがフック部２１３から外れる。
【００４１】
タッセルコード３１０ｂが外れた後は、回転フック２０３を逆方向に回転させてコイルスプリング３５による付勢力に逆らって、ヘッド４５ａ，４５ｂを再度、係合凹部３３ａ，３３ｂに係合させることによって図２１（ａ）に示す状態に復帰させることができる。
【００４２】
本変形例の構成では、回転フック２０３の回転が開始される閾値は、コイルスプリング３５の強さを変更することによって容易に調節することができる。また、変形例２のように、突起２３９ｂと突起１３との係合によって閾値を設定する場合、繰り返しの使用時に突起の摩耗などによって閾値が変化する恐れがあるが、本変形例は、略半球状のヘッド４５ａ，４５ｂを係合凹部３３ａ，３３ｂ内にコイルスプリング３５の付勢力で押し付ける構成であるので、摩耗による閾値の変化が生じにくい。
【００４３】
なお、回転フック２０３は、後述する実施形態２の変形例１のようにトーションバネで付勢してもよい。この場合、係止部材３１ａ，３１ｂを除くことができる。
【００４４】
＜実施形態１の変形例５：下側にフック部を有する構成＞
次に、図２５〜図２７を用いて、実施形態１の変形例５について説明する。この変形例５は、上記の変形例２に類似した構成を有しているが、上側フック部２１３ａと下側フック部２１３ｂを備える点を主な相違点であり、以下、相違点を中心に説明を進める。
【００４５】
変形例５では、図２５に示すように、房掛２００は、台座２０２と回転フック２０３とで構成されており、回転フック２０３は、上側フック部２１３ａと下側フック部２１３ｂを備える。タッセル３００は、タッセルコード３１０ａとタッセルコード３１０ｂを有しており、タッセルコード３１０ｂは、常時、下側フック部２１３ｂに係止させておき、タッセルコード３１０ａは、カーテンを束ねるときには上側フック部２１３ａに係止させ、カーテンを広げるときには上側フック部２１３ａから取り外す。タッセルコード３１０ａを上側フック部２１３ａに引っ掛ける際に、図２５（ａ）の矢印Ｆ方向に閾値を超える荷重を加えてしまった場合、実施形態１やその変形例１〜４の構成の場合は回転フック２０３が回転してしまうので、それを元の状態に復帰させるという作業が必要になってしまう。これに対して、本変形例では、上側フック部２１３ａに対して矢印Ｆ方向に強い荷重を加えても回転フック２０３が回転することはないので、タッセルコード３１０ａを上側フック部２１３ａに着脱する際には回転フック２０３が不意に回転することがない。一方、タッセルコード３１０ａが上側フック部２１３ａに係止されているか否かに関わらず、タッセルコード３１０ｂに矢印Ｘ方向の閾値を超える荷重が加わると、図２５（ｂ）に示すように、回転フック２０３が回転軸２２７を中心にして回転し、これによって、台座２０２と下側フック部２１３ｂの間に隙間ができて、タッセルコード３１０ｂが脱落する。
【００４６】
タッセルコード３１０ｂに閾値を超える荷重が加わっていないときに、回転フック２０３が不意に回転してしまうことを防ぐために、図２６（ｃ）に示すように、台座２０２の開口孔２０７の内面には突部１３が設けられており、回転フック２０３の略卵型の軸受部２０ａの突部２０３ｂが突部１３に当接することによって、回転フック２０３の回転が規制されている。一方、タッセルコード３１０ｂに閾値を超える荷重が加わると、図２７（ｃ）に示すように、突部２０３ｂが突部１３を乗り越え、回転フック２０３が回転され、台座２０２と下側フック部２１３ｂの間に隙間ができて、タッセルコード３１０ｂが脱落する。
【００４７】
タッセルコード３１０ｂの脱落後、下側フック部２１３ｂの自重により回転フック２０３が逆方向に回転しようとするが、図２７（ｃ）に示すように突部２０３ｂが突部１３に当接することにより、この逆方向回転が規制され、台座２０２と下側フック部２１３ｂの間の隙間が維持される。そして、タッセルコード３１０ｂを台座２０２と下側フック部２１３ｂの間に挟んだ状態で下側フック部２１３ｂを図２７（ａ）の矢印Ｙ方向に押圧することによって突部２０３ｂが突部１３を乗り越えて、図２６（ａ）に示す状態に復帰する。
【００４８】
＜実施形態１の変形例６＞
図４６に示す通りであり、引掛部２０６に閾値を超える荷重が作用した場合、スナップ部２４５ａ、２４５ｂが弾性変形して保持位置から外れ、台座２０２の正面の曲面に沿って引掛部２０６がスライドしながら回動するようにタッセルコード３１０ａを保持できない位置に変位する。
【００４９】
＜実施形態１の変形例７＞
図４９に示す通りであり、閾値を超える荷重が作用してスナップ部が解除されると、タッセルコード３１０ａによる下向きの力を利用して引掛軸が回転するようラック４３１とピニオン(回転軸２２７に刻設)を台座２０２に設けている。この構成により、速やかに引掛部２０６が図４９（ｅ）（ｆ）に示す状態に下方に向けて回転する。また、ラック４３１及びスライド溝４３０が２列が左右対称に設けられているため、タッセルコード３１０ａによる下向きの力の左右方向のバランスの崩れにより時計回り又は反時計回りの双方向へ回転可能である。
【００５０】
＜実施形態１の変形例８：ヘッドと回転フックを一体構成＞
次に、図３４〜図３５を用いて、実施形態１の変形例８について説明する。この変形例は、上記の変形例４に類似した構成を有しているが、ヘッド４５ａ，４５ｂを回転フック２０３に一体に設け、弾性的に係合凹部３３ａ，３３ｂに係合する点が主に相違している。
【００５１】
上記変形例４と同様に、回転フック２０３に荷重が加わらないときは、ヘッド４５ａ，４５ｂが係合凹部３３ａ，３３ｂに係合することによって、回転フック２０３の回転が阻止される。一方、回転フック２０３に対して閾値を超える荷重が加わると、ヘッド４５ａ，４５ｂに対して図３４（ｂ）の矢印Ｚ方向の力が加わることによって、ヘッド４５ａ，４５ｂを支持するアーム４６ａ，４６ｂが矢印Ｚ方向に弾性変形する。これによって、ヘッド４５ａ，４５ｂと係合凹部３３ａ，３３ｂの間の係合が解除されて、回転フック２０３が図３４（ａ）に示す矢印Ｙ１方向に回転して、図３５（ｃ）に示す状態となって、タッセルコード３１０ｂがフック部２１３から外れる。
【００５２】
タッセルコード３１０ｂが外れた後は、回転フック２０３を逆方向に回転させてヘッド４５ａ，４５ｂを再度、係合凹部３３ａ，３３ｂに係合させることによって図３４（ａ）に示す状態に復帰させることができる。
【００５３】
＜実施形態１の変形例９：前方から係合＞
次に、図５０〜図５５を用いて、実施形態１の変形例９について説明する。この変形例は、上記の変形例８に類似した構成を有しているが、台座２０２に対して回転フック２０３を前方から係合させることができる点、及び両面粘着シート３０７を用いて台座２０２を固定立設面４００に固定可能である点が主な相違点である。以下、相違点を中心に説明を進める。
【００５４】
変形例８では、図３５（ｂ）に示すように、溝状の軸受２１７ａ，２１７ｂは、台座２０２の背面側（固定立設面４００に取り付ける側）にまで延びており、回転フック２０３の回転軸２２７ａ，２２７ｂを、台座２０２の背面側から軸受２１７ａ，２１７ｂ内に挿入することによって、回転フック２０３を台座２０２に係合させている。
【００５５】
これに対して、本変形例では、台座２０２の基部３４３から、回転フック２０３側に向かって突出する側壁３２ａ，３２ｂを樹脂材料などで成形し弾性的に押し広げ可能とし回転軸２２７ａ、２２７ｂを前方から挿入可能とした。さらに、回転フック２０３の基部４１３に設けられた回転軸２２７ａ，２２７ｂが下側に向かって突出量が小さくなるようにテーパー面３２７ａ，３２７ｂを有しており、かつ台座２０２の側壁３２ａ，３２ｂの内面が回転フック２０３側に広がるテーパー面３３２ａ，３３２ｂとなっている。このような構成によって、図５４に示すように、回転フック２０３の下側を台座２０２の方向に向けながら、回転フック２０３を台座２０２の側壁３２ａ，３２ｂの間に挿入すると、テーパー面３２７ａ，３２７ｂがテーパー面３３２ａ，３３２ｂに当接して回転フック２０３の基部４１３の側壁を弾性的に回転フック２０３の幅方向内側に変形させることによって、回転軸２２７ａ，２２７ｂを軸受２１７ａ，２１７ｂに容易に係合させることができる。
【００５６】
このように、本変形例によれば、台座２０２の前方側から、回転フック２０３を台座２０２に係合させることができる。このため、本実施形態では、図５２に示すように、台座２０２の背面側に開口孔２０７を設ける必要がなく、台座２０２の背面の略全体に両面粘着シート３０７を配置することができる。
【００５７】
本変形例の房掛２００は、図５５に示すように、予め房掛に設けた両面粘着シート３０７を介して固定立設面４００に固定させることができる。図５５（ａ）に示すように、この房掛２００に保持されているタッセルコード３１０ａ，３１０ｂ（どちらか一方でもよい）に対して、矢印Ｘで示すように閾値を超える荷重が加わると、ヘッド４５ａ，４５ｂと係合凹部３３ａ，３３ｂの間の係合が解除されて、図５５（ｃ）に示すように、回転フック２０３が回転されて、タッセルコード３１０ａ，３１０ｂが脱落する。なお、タッセルコード３１０ａ，３１０ｂに加わった荷重が回転フック２０３に伝達される作用点Ｓは、回転軸２２７ａ，２２７ｂの真上の位置よりもフック部２１３側に寄った位置にあるので、タッセルコード３１０ａ，３１０ｂに加わった荷重が確実に回転フック２０３の回転トルクに変換される。また、図５５（ｂ）に示すように、タッセルコード３１０ｂは、台座２０２の受部２３７ａ上に配置される可能性があり、この状態では、タッセルコード３１０ｂに加わった荷重が回転フック２０３に伝達されない。しかし、受部２３７ａは、回転フック２０３に向かって低くなる斜面になっているので、タッセルコード３１０ｂに荷重が加わると、直ちに、タッセルコード３１０ｂが受部２３７ａの斜面に沿って図５５（ａ）に示す位置にまで移動する。このため、タッセルコード３１０ｂに加わった荷重が回転フック２０３に伝達されないという問題は生じ得ない。また、図５５（ａ）の状態では、当接点Ｐ１において、回転フック２０３の基部４１３の、台座２０２側の端部４１３ａが台座２０２に当接しているので、この状態よりも回転フック２０３のフック部２１３を台座２０２側に向かって回転させることはできない。尚、解除閾値を設定するにあたり矢印Ｘ方向は任意に設定でき、例えば鉛直方向から４５度傾斜させた状態での閾値を設定しても良い。本構成ではフック２０３の基端部にＲを取っているため、タッセルコードが鉛直方向に対し手前方向に傾斜させた方向に荷重を受けても回転フック２０３の基端部はタッセルコードとの接線に対し垂直方向の力を受けることができるので確実に回転トルクに変換される。
【００５８】
また、図５１（ｂ）及び図５５（ｃ）に示すように、台座２０２の基部３４３の下端近傍には、回転フック２０３の回転時に回転フック２０３の右下角部と基部３４３とが当接して回転フック２０３の回動を妨げないようにするための退避部３４３ｃが設けられている。そして、図５５（ｃ）の状態では、当接点Ｐ２において、回転フック２０３と基部４１３とが当接しているので、この状態よりも回転フック２０３のフック部２１３をさらに回転させることはできない。このように、回転フック２０３は、当接点Ｐ１で当接する状態から当接点Ｐ２で当接する範囲内で回転可能である。このような構成により、回転フック２０３の回転時に、回転フック２０３が固定立設面４００に当接することを避けることができる。
【００５９】
両面粘着シート３０７の粘着強度は、回転フック２０３の係合を解除して回転させるのに必要な荷重よりも大きくなっている。より一般的に表現すると、房掛２００と固定立設面４００の間の連結強度は、房掛２００を変形させてタッセルを脱落させるのに必要な荷重よりも大きくなっている。このために、回転フック２０３に荷重が加わった時に、回転フック２０３が回転する前に、房掛２００が固定立設面４００から分離されることがない。
【００６０】
ところで、回転フック２０３のフック部２１３の略先端には、台座２０２の方向に突出する凸部３０８が設けられており、これによって、通常のカーテン使用時には房掛２００に保持されているタッセルコード３１０ａ，３１０ｂが意図せずに外れ難くしている。また、この凸部３０８には、フック部２１３の基端側に向かって突出量が小さくなる緩やかなテーパー面３０８ａが設けられており、これによって、解除時にタッセルコード３１０ａ，３１０ｂが凸部３０８に引っかかることなく、スムーズにフック部２１３から脱落するようになっている。フック２０３のデザインを直線状とする場合に適する。
【００６１】
＜実施形態１の変形例１０：１本リブ＞
次に、図５６を用いて、実施形態１の変形例１０について説明する。この変形例は、上記の変形例９に類似した構成を有しているが、凸部３０８の構成が異なっているので、以下、この点を中心に説明を進める。
【００６２】
変形例９では、図５２に示すように、凸部３０８は、フック部２１３の略先端に設けられた、略Ｕ字形状の凸部であるが、本変形例では、図５６に示すように、凸部３０８は、フック部２１３の全体に渡って設けられた１本リブ状になっている。フック部２１３の略先端に、基端側に向かって突出量が小さくなる緩やかなテーパー面３０８ａが設けられている点は変形例９と同じである。本実施形態によれば、凸部３０８が１本リブ状になっているので、フック部２１３の強度が向上する。
【００６３】
＜実施形態１の変形例１１：バランス式、上面開口＞
次に、図５７〜図５９を用いて、実施形態１の変形例１１について説明する。この変形例は、上記の変形例２に類似した構成を有しているが、台座２０２の受部２３７ａに開口部３３７が設けられている点が主な相違点である。以下、相違点を中心に説明を進める。
【００６４】
上記変形例２では、受部２３７ａに開口部が設けられておらず、図１６（ｂ）に示すように回転フック２０３が回転したときに錘部２０９が受部２３７ａに当接して回転フック２０３の回転が妨げられることがないように、台座２０２の、固定立設面４００からの突出量を大きくする必要があった。そして、その結果、房掛２００の、固定立設面４００からの突出量も大きくなってしまい、美観上好ましくなかった。一方、本変形例では、回転フック２０３が回転したときに、図５９（ｂ）に示すように、受部２３７ａに設けた開口部２３７から錘部２０９がはみ出すように構成されている。そして、この構成により、台座２０２の厚さを抑えて美観を向上させつつ、回転フック２０３に荷重が加わった時の、回転フック２０３の回転角を十分に広くすることができる。なお、開口孔２０７と開口部３３７の間には側壁３２ａ，３２ｂを連結するブリッジ３３８が設けられており、これによって、側壁３２ａ，３２ｂ間の間隔が容易に変化しないようになっている。
【００６５】
なお、タッセルコード３１０ｂは、台座２０２の受部２３７ａ上に配置されており、受部２３７ａは、回転フック２０３に向かって低くなる斜面になっているので、タッセルコード３１０ｂに荷重が加わると、その分力がフック部２１３に加えられて、フック部２１３に回転トルクが与えられる。図５９（ａ）の状態では、当接点Ｐ１において、錘部２０９の、回転軸２２７ａ，２２７ｂよりもフック部２１３に近い位置の上面がブリッジ３３８に当接しているので、この状態よりも回転フック２０３のフック部２１３を台座２０２側に向かって回転させることはできない。
【００６６】
また、図５９（ｂ）の状態では、当接点Ｐ２において、錘部２０９の、回転軸２２７ａ，２２７ｂよりもフック部２１３から離れた位置の上面がブリッジ３３８に当接しているので、この状態よりも回転フック２０３のフック部２１３をさらに回転させることはできない。また、図６０に示すように、図５９（ａ）の状態から図５９（ｂ）の状態に至るまでの回転フック２０３の回転軌跡において、回転フック２０３と固定立設面の間に隙間Ｘが設けられ、回転フック２０３が固定立設面４００に当たることが無いように構成されている。
【００６７】
また、本実施形態では、図５９（ａ）に示すように、フック部２１３は、先端に近づくにつれて徐々に台座２０２に近づくように湾曲している。さらに、台座２０２の、フック部２１３に対向する面２０２ａも、フック部２１３と同様に湾曲している。このため、フック部２１３と面２０２ａの間のタッセル保持部３１３は、フック部２１３と面２０２ａの間の距離Ｐを略一定に保ちつつ緩やかに湾曲している（より詳しくは面２０２ａの曲率は、台座２０２の上端に近づくにつれて少しずつ大きくなっているので、距離Ｐも少しずつ大きくなっている。）。このため、タッセル保持部３１３は、タッセルコード３１０ａ，３１０ｂを引っ掛けやすく、かつタッセルコード３１０ａ，３１０ｂが意図せずに外れにくい。また、タッセル保持部３１３の深さＤは、タッセル保持部３１３に保持されるタッセルコードの直径の３倍以上（好ましくは４倍以上）となっており、これによって、タッセルコード３１０ａ，３１０ｂが意図せずに外れることを抑制している。
【００６８】
＜実施形態１の変形例１２：バランス式、台座側に回転軸＞
次に、図６１〜図６３を用いて、実施形態１の変形例１２について説明する。この変形例は、上記の変形例１１に類似した構成を有しているが、台座２０２側に回転軸２２７ａ，２２７ｂが設けられ、回転フック２０３側に軸受２１７ａ，２１７ｂが設けられている点が主な相違点である。
【００６９】
図６２（ｂ）及び図６３（ａ）に示すように、回転軸２２７ａ，２２７ｂには、台座２０２の背面側に向かって突出量が小さくなるようにテーパー面３２７ａ，３２７ｂが設けられている。回転フック２０３を台座２０２の背面側から開口孔２０７内に挿入して、回転軸２２７ａ，２２７ｂを軸受２１７ａ，２１７ｂに係合させる際には、回転フック２０３の両側面がテーパー面３２７ａ，３２７ｂに当接した状態で回転フック２０３が台座２０２の開口孔２０７内に押し込まれることによって、台座２０２の側壁３２ａ，３２ｂ間の距離が弾性的に広げられて、回転軸２２７ａ，２２７ｂが軸受２１７ａ，２１７ｂに係合される。また、変形例１１では、側壁３２ａ，３２ｂを連結するブリッジ３３８が設けられていたが、本変形例では、側壁３２ａ，３２ｂ間の距離を広げやすくするために、スリット３３８ｃを挟んで対向するようにブリッジ状の突出片３３８ａ，３３８ｂが設けられている。
【００７０】
さらに、図６１（ｂ）及び図６２（ｂ）に示すように、回転フック２０３には、フック部２１３の基端に台座２０２側に向かって突出する当接片３３９が設けられている。当接片３３９は、通常使用時には、ブリッジ状の突出片３３８ａ，３３８ｂに当接される。これによって、フック部２１３と台座２０２の間に十分な間隔を設けつつ、且つフック部２１３とブリッジ状の突出片３３８ａ，３３８ｂの間に隙間ができないようにすることができる。この間に隙間があると、図６３（ｂ）に示すように、細径のタッセルコードのタッセルを使用する際にタッセルコード３１０ｂが隙間に入り込んでしまう問題が生じうるが、本変形例ではそのような問題の発生を防ぐことができる。
【００７１】
さらに、図６１（ａ）に示すように、台座２０２の底壁１７が、側壁３２ａ，３２ｂからはみ出すように設けられ、回転フック２０３の前面２０３ａと底壁１７の先端面１７ａが連なるようになっており、台座２０２が回転フック２０３を安定的に支持すると共に、房掛２００の美観を向上させている。
また、本変形例では、回転フック２０３は亜鉛ダイキャストなどの比較的高い剛性を有する材料で形成することができ、台座２０２は、樹脂などの弾性変形しやすい材料で形成することができる。
【００７２】
＜実施形態１の変形例１２Ａ：バランス式、台座側に回転軸＞
次に、図６９〜図７０を用いて、実施形態１の変形例１２Ａについて説明する。この変形例は、寸法が変更された箇所があるものの、変形例１２と実質的に同様の構成を有している。
【００７３】
図６９は、本変形例の房掛２００の通常使用時の状態を示し、図７０は、房掛２００の回転フック２０３に対して閾値を超える荷重が加わって回転フック２０３が回転した状態を示す。
通常使用時には、当接点Ｐ１において当接片３３９が突出片３３８ａ，３３８ｂに当接し、且つ当接点Ｐ３において突起２３９ｂが突起１３に当接するので、回転フック２０３のフック部２１３は、矢印Ｒ１，Ｒ２のどちらの方向に回転せず、図６９に示す状態が保持される。
一方、突起２３９ｂと突起１３の係合の保持力を超える荷重が回転フック２０３に加わると、突起２３９ｂが突起１３を乗り越えることによって、回転フック２０３が回転して、図７０に示す状態になる。
【００７４】
図７０に示す状態では、突起２３９ｂが、当接点Ｐ３において、台座２０２の開口孔２０７の上面２０７ａに当接することによって、回転フック２０３がこれ以上回転しないようになっている（解除角規制手段）。この状態では、錘部２０９の上面２０９ａと突出片３３８ａ，３３８ｂの間には隙間があるので、錘部２０９が突出片３３８ａ，３３８ｂに衝突して、突出片３３８ａ，３３８ｂを破損させることがない。また、この状態では、回転フック２０３の重心Ｇが、回転軸２２７ａの中心を通る鉛直線Ｌよりも固定立設面４００側に位置しているので、回転フック２０３に加わる荷重が除去されると、回転フック２０３は自重によって、矢印Ｒ１方向に回転して、突起２３９ｂが突起１３に当接する状態になる。この状態から、フック部２１３を台座２０２側に向かって押し込むと、突起２３９ｂが突起１３を乗り越えて、図６９の状態になる。このように、重心Ｇが回転軸の鉛直線Ｌよりも固定立設面４００側にある位置で回転フック２０３のさらなる回転が規制されるので、荷重が除去されると自重によりＲ１方向（復帰方向）の回転トルクが生じ回転フック２０３が自動的に復帰方向に回転する。従って荷重が加わった後の状態の房掛２００を通常使用時の状態に復帰させることが容易である。
【００７５】
＜実施形態１の変形例１３：トーションバネ＞
次に、図６４〜図６７を用いて、実施形態１の変形例１３について説明する。この変形例は、上記の変形例２に類似した構成を有しているが、回転フック２０３の付勢手段としては、実施形態２の変形例１のようにトーションバネ３３６を使用している。
【００７６】
回転フック２０３は、基部４１３と、基部４１３から立ち上がるフック部２１３を備える。基部４１３には、回転軸２３８を挿入するための軸受孔２１７ｃと、トーションバネ３３６を収容するためのバネ収容部４１３ｂが設けられている。トーションバネ３３６は、図６６に示すように、一対のアーム２３４ａ，２３４ｂと、その間のコイル２３６を備える。台座２０２は、基部３４３と、基部３４３から回転フック２０３方向に突出する一対の側壁３２ａ，３２ｂとを備える。側壁３２ａ，３２ｂには、回転軸２３８を挿入するための軸受孔２１７ｄが設けられている。当たり面の間にクッションを設けている。側壁３２ａ，３２ｂの間には、クッション３４１を配置するクッション収容部３４３ａが設けられている。基部３４３の背面側には、取付プレート３４２に係合する取付プレート係合部３４３ｂが設けられている。取付プレート３４２は、本体部３４２ａと、本体部３４２ａから幅方向外側に突出する係合凸部３４２ｂ及び保持凸部３４２ｃと、ピン用孔３４２ｄを備える。ピン用孔は、斜め方向に延びる貫通孔であり、石膏クギを用いて取付プレート３４２を石膏ボードに固定するために用いることができる。
【００７７】
房掛２００の組み立て時には、まず、クッション３４１をクッション収容部３４３ａに貼り付ける。次に、トーションバネ３３６の一方のアーム２３４ａがバネ収容部４１３ｂ内に入るようにトーションバネ３３６を配置し、回転フック２０３の基部４１３を、台座２０２の側壁３２ａ，３２ｂの間に挿入した状態で、回転軸２３８を軸受孔２１７ｄ，２１７ｃ及びコイル２３６に挿入する。以上により、取付プレート３４２以外の部材を一体化させることができる。また、建物への施工時には、図６７に示すように、取付プレート３４２を固定立設面４００にビス又は石膏クギ固定し、その後、台座２０２の取付プレート係合部３４３ｂと取付プレート３４２を、台座２０２を取付プレート３４２の上側からスライドさせて係合させることによって、房掛２００を固定立設面４００に固定することができる。以上の工程の順序は、適宜変更可能である。なお、台座２０２は、取付プレート係合部３４３ｂの上壁３４３ｄが取付プレート３４２に当接するまで、スライドさせ、上壁３４３ｄが取付プレート３４２に当接した状態で位置決めされる。また、この状態では、図６５に示すように、係合凸部３４２ｂが、取付プレート係合部３４３ｂ内の段差３４３ｅに係合することによって、台座２０２が上方向に抜けないようになっている。さらに、保持凸部３４２ｃが取付プレート係合部３４３ｂの側壁３４３ｆに対して押し付けられるので、台座２０２が取付プレート３４２に対して抵抗を付与している。
【００７８】
図６７（ａ）に示すように、回転フック２０３によって保持されているタッセルコード３１０ａ，３１０ｂに対して閾値を超える荷重が加わると、トーションバネ２３６による付勢力に抗して回転フック２０３が回転して図６７（ｂ）に示す状態になり、タッセルコード３１０ａ，３１０ｂが回転フック２０３から脱落する。この後、回転フック２０３は、トーションバネ２３６の復元力によって図６７（ｂ）の矢印Ｒ方向に回転して図６７（ａ）に示す状態に戻ろうとする。この際に、回転の勢いによって、回転フック２０３の基部４１３の、台座２０２への対向面４１３ａが台座２０２に衝突して衝突音が発生し、ユーザーを不快にさせる場合がある。そこで、本変形例では、対向面４１３ａと台座２０２の間にクッション３４１を配置して衝突音の発生を抑制している。
【００７９】
なお、タッセルコード３１０ａ，３１０ｂに加わった荷重が回転フック２０３に伝達される作用点Ｓは、回転軸２３８の真上の位置よりもフック部２１３側に寄った位置にあるので、タッセルコード３１０ａ，３１０ｂに加わった荷重が確実に回転フック２０３の回転トルクに変換される。また、図６７（ｂ）に示すように、タッセルコード３１０ｂが台座２０２の受部２３７ａ上に配置される可能性があり、この状態では、タッセルコード３１０ｂに加わった荷重が回転フック２０３に伝達されない。しかし、受部２３７ａは、フック部２１３側に向かって低くなる斜面になっているので、タッセルコード３１０ｂに荷重が加わると、直ちに、タッセルコード３１０ｂが受部２３７ａの斜面に沿って回転フック２０３側に移動し、さらに、回転フック２０３の基部４１３の上面４１３ｃがフック部２１３側に向かって低くなる斜面になっているので、タッセルコード３１０ｂはフック部２１３側に向かってさらに移動し、図６７（ａ）に示す位置にまで到達する。従って、タッセルコード３１０ｂに加わった荷重が回転フック２０３に伝達されないという問題は生じ得ない。また、図６７（ａ）の状態では、当接点Ｐ１において、回転フック２０３の基部４１３の対向面４１３ａがクッション３４１に当接しているので、この状態よりも回転フック２０３のフック部２１３を台座２０２側に向かって回転させることはできない。
【００８０】
また、図６７（ｃ）の状態では、当接点Ｐ２において、回転フック２０３の基部４１３の底面が台座２０２に当接しているので、この状態よりも回転フック２０３をさらに回転させることはできない。このような構成により、回転フック２０３の回転時に、回転フック２０３が固定立設面４００に当接することを避けることができる。
【００８１】
＜実施形態１の変形例１４：トーションバネ、バネの端部を保護＞
次に、図６８を用いて、実施形態１の変形例１４について説明する。この変形例は、上記の変形例１３に類似した構成を有しているが、トーションバネ３３６を保護する立ち上がり部３４３ｇが台座２０２に設けられている点が主な相違点である。
【００８２】
変形例１３では、図６４（ｂ）に示すように、トーションバネ３３６の一方のアーム２３４ｂは外部に露出しており、ユーザーが衣服などをアーム２３４ｂに引っ掛けてしまう恐れがある。一方、本変形例では、台座２０２は、アーム２３４ｂの両側に立ち上がり部３４３ｇを有しており、アーム２３４ｂは、一対の立ち上がり部３４３ｇの間の溝内に収容可能である。このような構成によって、ユーザーが衣服などをアーム２３４ｂに引っ掛けてしまうことを防ぐことができる。
【００８３】
＜実施形態２：ヒンジ式セーフティー房掛＞
図５は、本実施形態に係る房掛２００のヒンジ式の変位機構８００について説明するための構造図である。この房掛２００は、固定立設面４００に固定される台座２０２と、台座２０２から突出する突出軸２０４と、突出軸２０４に支持され、タッセル３００を引っ掛けるための引掛部２０６と、を備える。また、この房掛２００は、房掛２００の構造を変位させる板バネ式の変位機構８００を備える。
【００８４】
この変位機構８００は、図５（ａ）の側面図、図５（ｄ）の斜視図に示すように、突出軸２０４および引掛部２０６を接続するヒンジ部２３５と、突出軸２０４および引掛部２０６をヒンジ部２３５において所定の範囲の角度を形成するように保持する弾性手段（板バネ２２９）と、を有する。
【００８５】
また、この弾性手段（板バネ２２９）は、図５（ｂ）の側面断面図、図５（ｃ）の側面断面図に示すように、突出軸２０４の凹部２３３ｂに一端が余裕空間２３１ｂを残して挿入されており、引掛部２０６の凹部２３３ａに他端が余裕空間２３１ａを残して挿入されている。このように余裕空間２３１ａ、２３１ｂを残しておくことによって、ヒンジ部２３５の角度が大きくなっても、板バネ２２９の全体が凹部２３３ａ、２３３ｂに格納されるので、板バネ２２９がつっかえてヒンジ部２３５の角度が大きくなれないことがなく、変位機構８００の非常時の動作がスムーズになる。
【００８６】
この変位機構８００は、タッセルコード３１０ｂを介して引掛部２０６にかかる荷重が所定値（例えば、２ｋｇｆ）を超えると、図５（ｆ）に示すように、ヒンジ部２３５において角度が拡大してタッセルコード３１０ｂをタッセルコードの移動方向９００に滑らせて脱落させるように構成されている。このヒンジ部２３５の上辺２０５には、変位した状態では凹んだ箇所がなくタッセルコード３１０ｂが引っ掛かって脱落が邪魔されることはない。
【００８７】
図６は、本実施形態に係る房掛２００を既存のタッセル３００と一緒に使う場合の使用態様について説明するための図面である。一方のループ状のタッセルコード３１０ｂが房掛２００の引掛部２０６に引っ掛かっている状態で、例えばタッセル３００に居住者が引っ掛かった場合には、図６（ａ）に示すように、タッセル３００の一方の端部に設けられているタッセルコード３１０ｂに引張力５００が加わる。
【００８８】
その結果、タッセルコード３１０ｂを介して房掛２００の引掛部２０６にかかる荷重が所定値（例えば、２ｋｇｆ）を超えると、図６（ｂ）に示すように、房掛２００の構造が変位（変位の方向７０２）してタッセル３００の係止が解除（係止の解除の方向７０４）されてタッセル３００が床に向かって脱落する。
【００８９】
＜実施形態２の変形例１：トーションバネ＞
図７および図８は、本実施形態に係る房掛２００のヒンジ式の変位機構８００の変形例について説明するための構造図である。この変形例では、図７（ａ）の側面図、図７（ｂ）の正面図に示すように、弾性手段として、板バネ２２９を用いる代わりにトーションバネを用いている。トーションバネは、別名ねじりコイルバネとも呼ばれ、コイル２３６に２本のアーム２３４ａ、２３４ｂを有している。
【００９０】
この変形例では、図７（ｃ）の側面断面図に示すように、ヒンジ部２３５の中心に設けられている回転軸２３８の周囲にトーションバネのコイル２３６が巻かれている。そして、トーションバネのアーム２３４ｂが引掛部の内部に設けられたアーム収容空間２３２ｂに収容されている。一方、トーションバネのアーム２３４ａが突出軸２０４の内部に設けられたアーム収容空間２３２ａに収容されている。
【００９１】
この変形例では、タッセルコード３１０ｂを介して引掛部２０６にかかる荷重が所定値（例えば、２ｋｇｆ）を超えると、図７（ｄ）の側面断面図、図７（ｅ）の正面図に示すように、ヒンジ部２３５において角度が拡大して、タッセルコード３１０ｂをタッセルコードの移動方向９００に滑らせて脱落させるように構成されている。このヒンジ部２３５の上辺２０５には、変位した状態では凹んだ箇所がなくタッセルコード３１０ｂが引っ掛かって脱落が邪魔されることはない。
【００９２】
特に、ヒンジ部２３５においては突出軸２０４の先端の両腕部と引掛部２０６の基端縁との間に回転角を確保する為の隙間を設ける必要があるが、その隙間にタッセルコード３１０ｂが落ち込むことがないように図８(ａ)、図８（ｂ）に示すようにテーパ面２３４ａ、２３４ｂが設けられている。
【００９３】
＜実施形態２の変形例２：エラストマー弾性体で形成されたヒンジ部＞
図９は、本実施形態に係る房掛２００のヒンジ式の変位機構８００の変形例について説明するための構造図である。この変形例では、図９（ａ）の側面図、図９（ｄ）の斜視図に示すように、弾性手段として、板バネ２２９を用いる代わりにヒンジ部２３５をエラストマー弾性体で形成している。
【００９４】
この変形例では、タッセルコード３１０ｂを介して引掛部２０６にかかる荷重が所定値（例えば、２ｋｇｆ）を超えると、図９（ｂ）の側面断面図、図９（ｄ）の側面断面図に示すように、ヒンジ部２３５において角度が拡大して、タッセルコード３１０ｂをタッセルコードの移動方向９００に滑らせて脱落させるように構成されている。このヒンジ部２３５の上辺２０５には、変位した状態では凹んだ箇所がなくタッセルコード３１０ｂが引っ掛かって脱落が邪魔されることはない。
【００９５】
＜実施形態２の変形例３：２箇所ヒンジ部＞
図１０は、本実施形態に係る房掛２００のヒンジ式の変位機構８００の変形例について説明するための構造図である。この変形例では、変位機構８００は、上記の実施形態２の構成に加えて、台座２０２および突出軸２０４を接続するヒンジ部２３５ｂと、台座２０２および突出軸２０４をヒンジ部２３５ｂにおいて所定の範囲の角度を形成するように保持する弾性手段（板バネ２２９ｂ）と、をさらに有する。すなわち、この変形例では、変位機構８００は、突出部と垂直部、突出部と台座を板バネにより直角を保持し２箇所に回転箇所を設けてもよい。
【００９６】
この変位機構８００は、図１０（ａ）の側面図に示すように、突出軸２０４および引掛部２０６を接続するヒンジ部２３５ａと、突出軸２０４および引掛部２０６をヒンジ部２３５ａにおいて所定の範囲の角度を形成するように保持する弾性手段（板バネ２２９ａ）と、を有する。また、この変位機構８００は、台座２０２および突出軸２０４を接続するヒンジ部２３５ｂと、台座２０２および突出軸２０４をヒンジ部２３５ｂにおいて所定の範囲の角度を形成するように保持する弾性手段（板バネ２２９ｂ）と、を有する。この弾性手段は、板バネ２２９ａ、２２９ｂに限定されるわけではなく、例えばトーションバネなども好適に利用可能である。また、板バネ２２９ａ、２２９ｂは同一の板バネであってもよく、別々の板バネであってもよい。
【００９７】
また、この弾性手段（板バネ２２９ａ、２２９ｂ）は、図１０（ｂ）の側面断面図に示すように、突出軸２０４の凹部を貫通して、引掛部２０６の凹部に一端が余裕空間２３１ａを残して挿入されており、台座２０２の凹部に他端が余裕空間２３１ｂを残して挿入されている。このように余裕空間２３１ａ、２３１ｂを残しておくことによって、ヒンジ部２３５ａ、２３５ｂの角度が大きくなっても、板バネ２２９ａ、２２９ｂの全体が凹部に格納されるので、板バネ２２９ａ、２２９ｂがつっかえてヒンジ部２３５ａ、２３５ｂの角度が大きくなれないことがなく、変位機構８００の非常時の動作がスムーズになる。
【００９８】
この変位機構８００は、突出軸２０４と引掛部２０６が板バネ２２９ａ、２２９ｂにより直角を保持し、タッセルコード３１０ｂを介して引掛部２０６にかかる荷重が所定値（例えば、２ｋｇｆ）を超えると、図１０（ｃ）、図１０（ｄ）に示すように、ヒンジ部２３５ａ、２３５ｂを中心にタッセルコード３１０ｂのループが抜ける回転角度まで倒れるように構成されている。その結果、タッセルコード３１０ｂが、タッセルコードの移動方向９００に滑って脱落する。この各ヒンジ部２３５ａ、２３５ｂの上辺には、変位した状態では凹んだ箇所がなくタッセルコード３１０ｂが引っ掛かって脱落が邪魔されることはない。
【００９９】
＜実施形態２の変形例４：インデックス式のヒンジ＞
図１１は、本実施形態に係る房掛２００のヒンジ式の変位機構８００の変形例について説明するための構造図である。この変形例では、上記の実施形態のバネ式のヒンジ部２３５の代わりに、凹凸条２４７を有する固定軸２４１およびスナップ部２４５を有するインデックス式のヒンジ部２３５を用いている。
【０１００】
具体的には、この変位機構８００に設けられているヒンジ部２３５は、図１１（ａ）の側面図、図１１（ｂ）の正面図に示すように、ヒンジ部２３５が接続する一方の部材（この図では突出軸２０４）に設けられている固定軸２４１と、ヒンジ部２３５が接続する他方の部材（この図では引掛部２０６）に設けられている軸受２４２と、を有する。
【０１０１】
そして、この変形例では、弾性手段として、図１１（ｃ）の拡大側面図、図１１（ｄ）の反対側の拡大側面図に示すように、上記の実施形態１の板バネ２２９の代わりに、軸受２４２に設けられているスナップ部２４５と、固定軸２４１の外周面に軸に並行して設けられている凹凸条２４７と、を有する。この凹凸状２４７は、例えば８つの凸部を有しているため、突出軸２０４に固定されている固定軸２４１の外周断面は略８角に近い形状になる。そのため、引掛部２０６は、固定軸２４１の凹凸条２４７と噛み合うスナップ部２４５によって弾性的に姿勢を保持されている。
【０１０２】
そして、この変位機構８００は、図１１（ｅ）に示すように、タッセルコード３１０ｂを介して閾値（例えば、２ｋｇｆ）を超えるトルクが固定軸２４１に対し作用した場合に、引掛部２０６が固定軸２４１に対し相対回転する。その結果、その結果、タッセルコード３１０ｂが、タッセルコードの移動方向９００に滑って脱落する。このヒンジ部２３５の上辺２０５には、変位した状態では凹んだ箇所がなくタッセルコード３１０ｂが引っ掛かって脱落が邪魔されることはない。
【０１０３】
＜実施形態２の変形例５＞
図４７に示す通りであり、第１屈曲部４２１、第２屈曲部４２２を有し略Ｓ字状の形状を特徴としている。取付台２３０は硬質材料であるが、取付台２３０以外の台座２０２から引掛部までがゴムやエラストマー等の弾性体で形成されている。引掛部２０６に閾値を超える荷重が作用した場合、図４７（ｃ）に示すように主に第１屈曲部４２１の弾性で突出軸２０４が下方に傾斜するとともにヒンジ部（弱弾性部）２３５にタッセルコード３１０ａの支点が移動する。その後、第２屈曲部４２２の弾性（主にヒンジ部（弱弾性部）２３５の弾性変形）によりタッセル３００を保持できない位置まで変位する。また、引掛部２０６に閾値を超える荷重が無くなると第１屈曲部４２１、第２屈曲部４２２の弾性により原位置（図４７（ａ））の状態に戻る。
【０１０４】
＜実施形態２の変形例６＞
図４８に示す通りであり実施形態２の変形例５の第１屈曲部４２１、第２屈曲部４２２に加え、第３屈曲部４２３を設けることにより、下方への変形量を大きくしている。
【０１０５】
＜実施形態３：突出軸にトリガーが設けられた房掛＞
図１２−１は、本発明の実施形態に係る房掛２００に所定の引張力により分離可能な連結部１１４を突出軸２０４および引掛部２０６の間に設ける構成について説明するための図面である。本実施形態のカーテンアクセサリー１０００は、房掛２００を備えており、連結機構として、房掛２００を引張力によって複数の部分に分離する連結部１１４を有する。
【０１０６】
この房掛２００は、図１２−１に示すように、壁または窓枠などの固定立設面４００に固定される台座２０２を備える。また、この房掛２００は、その台座２０２から突出する突出軸２０４を備える。また、この房掛２００は、その突出軸２０４にタッセル３００またはタッセル補助部品１００のコード１１１を支持可能であり、タッセル３００またはタッセル補助部品１００を通常は落下しないように引っ掛けるための引掛部２０６を備える。そして、上記の分離部１１４は、突出軸２０４および引掛部２０６の間に設けられている。
【０１０７】
さらに、図１２−１及び図１２−２（ａ）および図１２−２（ｂ）に示すように、突出軸２０４の下方には、台座２０２から突出して引掛部２０６を回動可能に支持する保持突出軸７４０が設けられている。図１２−２（ａ）及び（ｂ）の部分断面図に示すように、引掛部２０６の下部には、開口凹部７５２が台座２０２側の側面及び下端面が開口するように設けられている。開口凹部７５２には支持軸７５０が図１２−２（ａ）の左右方向に貫通するよう固定されている。そして、支持軸７５０は引掛部２０６に対しても貫通して一対設けられた軸受孔７５３により軸受けされて保持突出軸７４０に対し回動可能に支持されるようになっている。
【０１０８】
突出軸２０４は保持突出軸７４０よりも上下方向に薄く板状に形成されて弾性を有し、タッセル３００またはタッセル補助部品１００がトリガー（突出軸２０４）に当接し引張力５００をかけることにより、連結部１１４の連結が解除されるようになっている。
【０１０９】
また、図１２−２（ａ）の突出軸２０４の断面図に示されるように、突出軸２０４の先端には係止凹部７５４が設けられ、図１２−２（ｂ）に示すように引掛部２０６の開口凹部７５２の中央部に設けられた係止凸部７５１が突出軸２０４の凹部に嵌合され引掛部２０６の姿勢を維持する。突出軸２０４に設けられた係止凹部７５４は保持突出軸７４０の幅よりも狭い為、タッセル３００またはタッセル補助部品１００の前後方向への移動を阻止しない。
【０１１０】
この連結部１１４の保持力は、通常のカーテン１１００をタッセル３００によって束ねて係止する時にトリガー（突出軸２０４）に作用する通常の引張力では引掛部２０６および突出軸２０４の連結が外れることがないように設定されている。また、トリガー（突出軸２０４）に通常の引張力を超える所定の値以上の大きな引張力が作用したときに限り、トリガー（突出軸２０４）が弾性により下方に撓み、突出軸２０４の係止凹部７５４から係止凸部７５１が外れ、引掛部２０６および突出軸２０４の連結が外れ、図１２−３に示すようにタッセル３００またはタッセル補助部品１００が突出軸２０４に引っ掛かることなく抜け落ちることになる。
【０１１１】
また、引掛部２０６が連結部１１４の連結が解除されたときにも床に落下しないように保持する保持手段として保持突出軸７４０を備えている為、連結部１１４の連結が解除されたときにも引掛部２０６が床に落下しないように保持可能である。そして、連結部１１４の連結が解除された後、再度引掛部２０６を保持突出軸７４０を中心に逆回転させ、突出軸２０４の係止凹部７５４に引掛部２０６の係止凸部７５１を嵌め込むことにより、容易に復帰させることが可能である。
実施形態３の変形例１として、図３６に示すように、トーションバネ２３６を回転軸に設け、引掛部２０６が開方向に回動するように付勢してもよい。トリガー２０４に所定の閾値以上の下方への荷重が作用したとき速やかに全開角度まで開かせることができる。
実施形態３の変形例２として、図４０（ｂ）に示すように、突出軸２０４が弾性変形しないように保持して突出軸２０４と引掛部２０６の間の連結を維持する連結維持部（トリガー）２０４ａをさらに設け、連結維持部２０４ａは、タッセルが当接したときに、図４０（ｃ）に示すように、突出軸２０４の保持を解除して、突出軸２０４と引掛部２０６の間の連結を解除可能にしてもよい。
【０１１２】
＜実施形態４：すり抜け式（ボール）＞
図１３は、本実施形態に係る房掛のすり抜け式（ボール）の変位機構について説明するための構造図である。この房掛２００は、固定立設面４００に固定される台座２０２と、台座２０２に設けられている挟持部２５５と、を備える。また、この房掛２００は、房掛２００の構造を変位させるすり抜け式の変位機構８００を備える。
【０１１３】
この変位機構８００は、図１３（ａ）の側面図、図１３（ｂ）の正面図に示すように、固定立設面４００に固定される台座２０２と、台座２０２に設けられた２本の並列するアーム２５３ａ、２５３ｂを有する。この２本の上下方向に並列するアーム２５３ａ、２５３ｂは、上から下にかけてアーム２５３ａ、２５３ｂ間の幅が途中で狭くなって再び広くなるように配置されている。
【０１１４】
そして、アーム２５３ａ、２５３ｂ間の幅が最も狭くなった箇所の近傍が挟持部２５５に該当する。この挟持部２５５によって、先端にボール（すり抜け前）２５４を取り付けたタッセルコード３１０ｂが挟持される。なお、このボール（すり抜け前）２５４の代わりに、結び目などの装飾（突起物）があるものを好適に使用可能である。また、このボール（すり抜け前）２５４は、ループ状のタッセルコード３１０ｂの途中に取り付けられていてもよい。その場合には、タッセルコード３１０ｂに後付のボール（すり抜け前）２５４をセットしてもよい。
【０１１５】
この変位機構８００は、図１３（ｃ）に示すように、挟持部２５５の幅狭となった形状により先端にボール（すり抜け前）２５４を取り付けたタッセルコード３１０ｂを挟持することによって、通常時はタッセルコード３１０ｂを房掛２００に安定的に保持することができる。
【０１１６】
そして、この変位機構８００は、図１３（ｄ）に示すように、タッセルコード３１０ｂを介して挟持部２５５にかかる荷重（引張力５００）が所定値（例えば、２ｋｇｆ）を超えると、２本の並列するアーム２５３ａ、２５３ｂが（挟持部のアームの変位方向２５９に）撓んで挟持部２５５の隙間が拡大してタッセルコード３１０ｂの直径よりも大きくなる。その結果、図１３（ｅ）に示すように、タッセルコード３１０ｂが挟持部２５５の隙間をすり抜けて脱落することが可能になる。
【０１１７】
＜実施形態４の変形例１：すり抜け式（引掛棒）＞
図１４は、本実施形態に係る房掛のすり抜け式の変位機構の変形例について説明するための構造図である。この変形例では、上記の実施形態のすり抜け式（ボール）の変位機構８００の代わりに、すり抜け式（引掛棒）の変位機構８００を用いている。
【０１１８】
具体的には、この変位機構８００に設けられている引掛棒２６１は、図１４（ａ）の側面図、図１４（ｂ）の正面図、図１４（ｃ）のＡ−Ａ'の拡大断面図に示すように、挟持部２５５において、弾性を有する２本の並列するアーム２５３ａ、２５３ｂによる左右両側から中央への挟持圧力２６３ａ、２６３ｂで挟持される。
【０１１９】
図１５は、本実施形態に係る房掛のすり抜け式の変位機構の変形例の使用状態について説明するための図面である。この変形例では、図１５（ｄ）、図１５（ｅ）に示すように、挟持部２５５の幅狭となった形状によってループ状のタッセルコード３１０ｂが引っ掛けられた引掛棒２６１を挟持することによって、通常時は引掛棒２６１およびタッセルコード３１０ｂを房掛２００に安定的に保持することができる。
【０１２０】
そして、この変位機構８００は、図１５（ｆ）に示すように、タッセルコード３１０ｂを介して挟持部２５５にかかる荷重（引張力５００）が所定値（例えば、２ｋｇｆ）を超えると、２本の並列するアーム２５３ａ、２５３ｂが（挟持部のアームの変位方向２５９に）撓んで挟持部２５５の隙間が拡大する。
【０１２１】
その結果、図１５（ｇ）に示すように、引掛棒２６１が挟持部２５５の隙間をすり抜けて脱落し、引掛棒２６１に引っ掛かっていたタッセルコード３１０ｂも同様に脱落することが可能になる。または、図１５（ｈ）に示すように、引掛棒２６１が前方に倒れこんで挟持部２５５から外れて脱落することもあり、この場合も引掛棒２６１に引っ掛かっていたタッセルコード３１０ｂも同様に脱落することが可能になる。
【０１２２】
なお、図１５（ｄ）に示すように、引掛棒２６１は台座２０２からチェーン２６５等で接続し落下を防止してもよい。このようにすれば、引掛棒２６１の脱落によって床面に傷が付くことを防止でき、引掛棒２６１の紛失も抑制できる。
また、図４１（ａ）に示すように、引掛棒２６１及びチェーン２６５のそれぞれにタッセルコードを掛けている場合は、第１トリガー（引掛棒２６１）又は第２トリガー（チェーン２６５）が作動してタッセルコードの保持が解除されることになる。さらに、図４１（ｂ）に示すように、第２トリガーだけに一方のタッセルコードが掛けられた状態で、他方のタッセルコードに引っ掛かったとしても、図４１（ｃ）に示すように、第２トリガーによりタッセルが外れて安全機能が働く。２つの引掛箇所があっても双方に安全機能があるため確実である。
【０１２３】
＜実施形態５：伸縮軸式セーフティー房掛＞
図２８〜図３３を用いて、伸縮軸式セーフティー房掛２００について説明する。本実施形態の房掛２００は、固定立設面４００に固定される台座２０２と、台座２０２に対して連結可能であり且つ閾値を超える荷重が加わったときに台座２０２から分離される分離フック２０１を備える。より具体的には、図２８（ａ）に示すように、分離フック２０１には、タッセルコード３１０ｂが係止されており、タッセルコード３１０ｂに対して図２８（ａ）の矢印Ｘ方向の閾値を超える荷重が加わると、図２８（ｂ）に示すように、分離フック２０１が台座２０２から分離される。
【０１２４】
図２８（ｂ）に示すように、台座２０２は、本体部２０２ａから突出する突出軸６３ａを有し、突出軸６３ａには係合凹部６３ｂが設けられている。
【０１２５】
図２９は、分離フック２０１の分解図であり、図３０は、外筒付きフック２１６の詳細図であり、図３１は、組み立てた状態での分離フック２０１の断面図である。図２９〜図３０に示すように、外筒付きフック２１６は、フック部２１３と、フック部２１３から突出軸６３ａと同軸方向に延びる外筒６５を備え、外筒６５は、台座２０２側から順に大径部６５ｃと、小径部６５ｂと、スプリング収容部６５ａとを備える。スプリング収容部６５ａと大径部６５ｃは、それぞれ、直径が小径部６５ｂより大きい。
【０１２６】
図２９に示すように、中間筒付きヘッド６１は、ヘッド部７３と、ヘッド部７３から突出軸６３ａと同軸方向に延びる中間筒７１を備える。中間筒７１には、ボール収容部６７が設けられており、その内部には、図３１に示すように突出軸６３ａを収容可能な突出軸収容部７１ａが設けられている。
【０１２７】
分離フック２０１を組み立てる際には、中間筒７１をコイルスプリング７７内に挿入し、ボール収容部６７内にボール６４を配置した状態で、中間筒７１をスプリング収容部６５ａ側から外筒６５内に挿入してコイルスプリング７７の付勢力に逆らって押しこむことによって、中間筒７１の先端を外筒６５の反対側（台座２０２側）から飛び出させ、その状態で中間筒７１の先端側にワッシャー６９を挿入し、ワッシャー６９の抜け止め部材（Ｃリング）７０を中間筒７１の係合溝７１ｂに係合させることによって図３１（ｂ）に示す状態が得られる。なお、ワッシャー６９の内面形状は、中間筒７１の外面形状と略同一となっている。中間筒付きヘッド６１は、コイルスプリング７７の付勢力によって図３１（ａ）の矢印Ｙ１方向に飛び出そうとするが、大径部６５ｃと小径部６５ｂの間の段差によってワッシャー６９が係止されることによって図３１（ａ）に示す状態で中間筒付きヘッド６１が外筒６５内に保持される。この状態では、ボール６４は、小径部６５ｂに位置している。
【０１２８】
突出軸収容部７１ａの開口面積は、突出軸６３ａの軸に垂直な断面の断面積と略同一になっており、図３１（ａ）に示す状態では、ボール６４が小径部６５ｂに位置していて径方向外側に移動不能であり且つボール６４が突出軸収容部７１ａ内に突出しているので、ボール６４との干渉によって突出軸６３ａを突出軸収容部７１ａ内に挿入することができない。一方、ヘッド部７３を矢印Ｙ２方向に押し込んで図３１（ｂ）の状態にするとボール６４が大径部６５ｃに移動して、ボール６４が径方向外側に移動可能になるので、突出軸６３ａを突出軸収容部７１ａに挿入することができる。
【０１２９】
突出軸６３ａを突出軸収容部７１ａに挿入し、図３２（ｂ）に示すようにボール６４が突出軸６３ａの係合凹部６３ｂに到達した時点で、ヘッド部７３に加えていた力を解放すると、コイルスプリング７７の付勢力によって外筒付きフック２１６が図３２（ａ）の矢印Ｙ２方向に移動して、図３２（ａ）に示す状態になる。図３２（ａ）が通常使用時の状態である。この状態では、ボール６４は、突出軸６３ａの係合凹部６３ｂ内に収容されており、且つ外筒６５の小径部６５ｂに位置している。また、外筒６５は、台座２０２から離れるにつれて下げるように傾けられている。
【０１３０】
図３２（ａ）の状態において、フック部２１３に係止させているタッセルコード３１０ｂに矢印Ｘ方向に荷重が加わると、その荷重の矢印Ｙ１方向の分力によってコイルスプリング７７の付勢力に逆らって外筒付きフック２１６が突出軸６３ａの軸方向に沿って矢印Ｙ１方向に移動する。一方、中間筒付きヘッド６１は、ボール６４を介して係合凹部６３ｂに係合されているので、この時点では動かない。矢印Ｘ方向の荷重が閾値を超える大きさである場合には、コイルスプリング７７が圧縮されながらボール６４が大径部６５ｃに向かって移動して図３２（ｂ）の状態になる。ボール６４が大径部６５ｃに到達すると、ボール６４と係合凹部６３ｂの間の係合が解除され、中間筒付きヘッド６１が移動可能となり、図３３に示すように分離フック２０１全体が突出軸６３ａから分離される。分離された分離フック２０１は、上述した方法と同じ方法によって再度、台座２０２に取り付けることができる。
【０１３１】
また、分離フック２０１は、図３２（ａ）の通常使用時の状態において、ヘッド部７３を矢印Ｙ２方向に押し込んでボール６４を大径部６５ｃに移動させることによって、容易に取り外すことができる。従って、分離フック２０１は、容易に交換可能である。
【０１３２】
＜実施形態５の変形例１＞（伸縮変位）
図４２に示すように台座２０２は円錐状の突出軸２０４を備え、引掛部（分離フック）２０６は球状であり、中心に向かって円錐状の突出軸２０４が入り込む凹部が形成されている。台座２０２と引掛部２０６とは伸縮するゴム・スプリング等からなる細長い弾性体４１０により４１０ａ、４１０ｂで接続されている。図４２（ａ）〜（ｂ）に示すように、常には弾性体４１０により引掛部２０６は円錐状の突出軸２０４が入り込む状態で保持されている。図４２（ｃ）に示すように、閾値を超える荷重が加わると、弾性体４１０が伸びた状態となりタッセルが解除される。解除された後は弾性体４１０が縮むことにより自動的に元の状態に戻る。
【０１３３】
＜実施形態５の変形例２＞（保持コードによる伸縮変位）
図４３に示す通り、実施形態５の変形例１の弾性体４１０を伸びの無いワイヤ等の保持コード２１８とした形態である。突出軸２０４は３つの同一部材から構成され、図４３（ａ）中の斜視図に示す通り中心部に貫通部２２４を備え、図４３（ｂ）に示す通り保持コード２１８は３つの突出軸２０４を貫通して配置される。突出軸２０４は一端部が円錐台状で、他端部は他の突出軸２０４の円錐台形状がぴったりと入り込む形状となっている。保持コード２１８は両端はカシメ２２０で抜け止めされ、一端が台座２０２の支持孔２２９を貫通して保持され、他端はキャップ（挿通部）２２２を挿通し緩んだ状態で引掛部（分離フック）２０６に内蔵されている。保持コード２１８の中間部には保持突起２２１が固着され引掛部２０６の内側において係止孔２２５に押し付けられるよう係止されている。台座２０２と引掛部２０６との間で、カシメ２２０と保持突起２２１の間の保持コード２１８がぴんと張った状態で張設されている。このように、閾値を超える荷重が加わらない状態では、タッセル３００を保持し、或はカーテンを束ねることが可能となっている。
突出軸２０４に閾値を超える荷重が作用した場合、図４３（ｃ）に示す通り突出軸２０４が下方に傾き、保持突起２２１と係止孔２２５との係合が外れ、保持コード２１８の緩んだ部分が引掛部２０６から引き出される。そして、図４４（ａ）に示すように突出軸２０４及び引掛部２０６がタッセル３００を保持できない形に変位し、タッセルコード３１０ａと突出軸２０４及び引掛部２０６との連結が解除される。また、カシメ２２０がキャップ（挿通部）２２２に保持され、突出軸２０４及び引掛部２０６が落下することを防止される。
図４４（ａ）の状態から元の状態に復帰させるには、図４４（ｂ）に示すようにキャップ（挿通部）２２２を引掛部２０６の引出孔２２６から外し保持コード２１８を引っ張ることにより保持突起２２１を引掛部２０６の係止孔２２５に係止し、引き出された保持コード２１８を引掛部２０６内に収容すればよい。
【０１３４】
＜実施形態５の変形例３＞（弾性体による伸縮変位）
図４５に示す通り、実施形態５の変形例２の保持コード２１８を弾性を有するゴム・スプリング等の弾性体４１０とした形態である。この実施形態でも、突出軸２０４に閾値を超える荷重が作用した場合、図４５（ｂ）に示す通り、突出軸２０４及び引掛部（分離フック）２０６がタッセル３００を保持できない形に変位する。
【０１３５】
＜実施形態６＞（固定面と平行でない回転軸による回転式）
図３７（ａ）（ｄ）に示すように回転フック２０３の回転軸芯７２０を台座２０２に正対して前後方向に設けた房掛である。図３７（ａ）（ｄ）に示す通り、台座２０２の回転中心から正面視でタッセルコード３１０ａの作用点７１０を左右方向にずれた位置に設ける。台座２０２内にはスナップ部２４５を設け、回転フック２０３を保持する。この構成により、回転フック２０３に閾値を超える荷重が加わると、図３８（ｂ）（ｃ）に示すように回転フック２０３が回転しタッセルコード３１０ａが抜け落ちる状態まで変位する。
【０１３６】
＜実施形態７＞
図３９に示す通り、回転中心においてビス４０１で固定した形態である。ビス４０１は正ネジで固定立設面４００に固定され一定トルクで施工される。スペーサー４０２には壁側と相対回転させない突起を設けられ、壁紙のつぶれを吸収し、回転フック２０３とスペーサー４０２とが相対回転するようになっている。回転フック２０３に閾値を超える荷重が加わると、タッセルコード３１０ａが抜け落ちる状態まで回転フック２０３が変位する。回転フック２０３の解除方向はビス４０１が緩む反時計回りの回転の為容易に回転する。
【０１３７】
以上、図面を参照して本発明の実施形態について述べたが、これらは本発明の例示であり、上記以外の様々な構成を採用することもできる。
【０１３８】
また、上記実施の形態では、連結機構は、タッセル３００を介して房掛２００に加わる荷重が所定値である２ｋｇｆを超えると、変位機構８００が房掛２００の構造を変位させてタッセル３００の係止を解除する構成としたが、特に限定する趣旨ではない。好ましくは、ａ）タッセル３００の重量に基づく荷重、又はｂ）カーテンをタッセル３００で束ねた状態におけるタッセルコード３１０ａの引張力に基づく上記各実施形態における解除方向への分力、のうちａ）またはｂ）いずれか大きい方の引張力により解除することない保持力を有し、且つタッセル３００と想定居住者等の重量和によっては解除される引張力を設定する。この数値は、タッセル重量やカーテン特性（重量、サイズ、反発特性等）によりいくつかの水準を設けても良い。たとえば、タッセル３００を介して房掛２００に加わる荷重が、２ｋｇｆ、２．５ｋｇｆ、３ｋｇｆ、３．５ｋｇｆ、４ｋｇｆ、４．５ｋｇｆ、５ｋｇｆのいずれかの値以上であるか、あるいはいずれかの値を超えると、変位機構８００が房掛２００の構造を変位させてタッセル３００の係止を解除する構成としてもよい。
【符号の説明】
【０１３９】
２００  房掛
２０２  台座
２０３  回転フック
２０４  突出軸
２０５  上辺
２０６  引掛部
２０７  開口孔
２０８  引掛部が外れる方向
２０９  錘部
２１０  先端部
２１３  フック部
２１５  回転機構
２１７ａ、２１７ｂ  軸受
２１８  保持コード
２１９  取付孔
２１９ａ、２１９ｂ  取付孔
２２０  カシメ部
２２１  保持突起
２２２  キャップ（挿通部）
２２３  収容部
２２４  貫通部
２２５  係止孔
２２６  引出孔
２２７ａ、２２７ｂ  回転軸
２２８  支持孔
２２９  板バネ
２３０  取付台
２３１ａ、２３１ｂ  余裕空間
２３２  スプリング端挿入口
２３３ａ、２３３ｂ  凹部
２３４ａ、２３４ｂ  テーパ面
２３５  ヒンジ部
２３７ａ、２３７ｂ  受部
２３９ａ、２３９ｂ  突起（かかり）
２４１  固定軸
２４２  軸受
２４３  スリット
２４５  スナップ部
２４７  凹凸条
２４８  スナップ結合
２４９  凹凸嵌合
２５０  スナップ部
２５１  連結部
２５３ａ、２５３ｂ  アーム
２５４  ボール（すり抜け前）
２５５  ボール（すり抜け中）
２５７  挟持部
２５９  挟持部のアームの変位方向
２６１  引掛棒
２６３ａ、２６３ｂ  挟持圧力
２６５  チェーン
２６７  引掛棒の脱落方向
３００  タッセル
３０４  結び目
３０５  垂れ飾り
３１０，３１０ａ，３１０ｂ  タッセルコード
４００  固定立設面
４０１  ビス
４０２  スペーサー
４２１  第１屈曲部
４２２  第２屈曲部
４２３  第３屈曲部
４１０  弾性体
４３０  スライド溝
４３１  ラック
５００  引張力
６００  異物の侵入方向
７０２  変位の方向
７１０  作用点
７２０  回転軸芯
７６７  回り止め
８００  変位機構
９００  タッセルコードの移動方向
【図１】
2019069234.tif 000003
【図２】
2019069234.tif 000004
【図３】
2019069234.tif 000005
【図４】
2019069234.tif 000006
【図５】
2019069234.tif 000007
【図６】
2019069234.tif 000008
【図７】
2019069234.tif 000009
【図８】
2019069234.tif 000010
【図９】
2019069234.tif 000011
【図１０】
2019069234.tif 000012
【図１１】
2019069234.tif 000013
【図１２−１】
2019069234.tif 000014
【図１２−２】
2019069234.tif 000015
【図１２−３】
2019069234.tif 000016
【図１３】
2019069234.tif 000017
【図１４】
2019069234.tif 000018
【図１５】
2019069234.tif 000019
【図１６】
2019069234.tif 000020
【図１７】
2019069234.tif 000021
【図１８】
2019069234.tif 000022
【図１９】
2019069234.tif 000023
【図２０】
2019069234.tif 000024
【図２１】
2019069234.tif 000025
【図２２】
2019069234.tif 000026
【図２３】
2019069234.tif 000027
【図２４】
2019069234.tif 000028
【図２５】
2019069234.tif 000029
【図２６】
2019069234.tif 000030
【図２７】
2019069234.tif 000031
【図２８】
2019069234.tif 000032
【図２９】
2019069234.tif 000033
【図３０】
2019069234.tif 000034
【図３１】
2019069234.tif 000035
【図３２】
2019069234.tif 000036
【図３３】
2019069234.tif 000037
【図３４】
2019069234.tif 000038
【図３５】
2019069234.tif 000039
【図３６】
2019069234.tif 000040
【図３７】
2019069234.tif 000041
【図３８】
2019069234.tif 000042
【図３９】
2019069234.tif 000043
【図４０】
2019069234.tif 000044
【図４１】
2019069234.tif 000045
【図４２】
2019069234.tif 000046
【図４３】
2019069234.tif 000047
【図４４】
2019069234.tif 000048
【図４５】
2019069234.tif 000049
【図４６】
2019069234.tif 000050
【図４７】
2019069234.tif 000051
【図４８】
2019069234.tif 000052
【図４９】
2019069234.tif 000053
【図５０】
2019069234.tif 000054
【図５１】
2019069234.tif 000055
【図５２】
2019069234.tif 000056
【図５３】
2019069234.tif 000057
【図５４】
2019069234.tif 000058
【図５５】
2019069234.tif 000059
【図５６】
2019069234.tif 000060
【図５７】
2019069234.tif 000061
【図５８】
2019069234.tif 000062
【図５９】
2019069234.tif 000063
【図６０】
2019069234.tif 000064
【図６１】
2019069234.tif 000065
【図６２】
2019069234.tif 000066
【図６３】
2019069234.tif 000067
【図６４】
2019069234.tif 000068
【図６５】
2019069234.tif 000069
【図６６】
2019069234.tif 000070
【図６７】
2019069234.tif 000071
【図６８】
2019069234.tif 000072
【図６９】
2019069234.tif 000073
【図７０】
2019069234.tif 000074
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
カーテンを束ねるタッセルを係止するための房掛であって、
前記タッセルを係止可能な係止状態と前記タッセルを係止不能な解除状態の間で房掛の構造を変位させる変位機構を備え、
前記変位機構は、前記タッセルを介して前記房掛にかかる荷重が所定値を超えると房掛の構造を前記係止状態から前記解除状態に変位させて前記タッセルの係止を解除し、かつ係止が解除された後に変位を元に戻して再度タッセルを房掛に係止可能に構成されており、
前記変位機構は、前記解除状態が前記房掛に外力を加えることなく維持可能に構成されている、房掛。
【請求項２】
請求項１に記載の房掛であって、
前記房掛は、固定立設面に固定される台座を備え、
前記台座は、前記台座を前記固定立設面に取り付けるための取付孔を備え、
前記係止状態では、前記固定立設面に垂直な方向から前記房掛を見る正面視において、前記タッセルを係止する部位が前記取付孔の少なくとも一部に重なり、
前記解除状態では、前記正面視において、前記部位が前記取付孔に重ならない、房掛。
【請求項３】
請求項２に記載の房掛であって、
前記係止状態では、前記正面視において、前記部位が前記取付孔の全体に重なる、房掛。
【請求項４】
カーテンを束ねるタッセルを係止するための房掛であって、
前記タッセルを係止可能な係止状態と前記タッセルを係止不能な解除状態の間で房掛の構造を変位させる変位機構を備え、
前記変位機構は、前記タッセルを介して前記房掛にかかる荷重が所定値を超えると房掛の構造を前記係止状態から前記解除状態に変位させて前記タッセルの係止を解除し、かつ係止が解除された後に変位を元に戻して再度タッセルを房掛に係止可能に構成されており、
前記房掛は、固定立設面に固定される台座を備え、
前記台座は、前記台座を前記固定立設面に取り付けるための取付孔を備え、
前記係止状態では、前記固定立設面に垂直な方向から前記房掛を見る正面視において、前記タッセルを係止する部位が前記取付孔の全体に重なり、
前記解除状態では、前記正面視において、前記部位が前記取付孔に重ならない、房掛。